(57)【要約】【課題】複数枚の原稿が複数の部分に分割される場合に、当該部分単位に読み取り処理を実施し当該複数の部分を一つの文書として印刷させることのできる画像処理装置を提供する。【解決手段】画像処理装置（画像入力装置）は、複数枚の源原稿が複数の部分に分割される場合の一つの部分に属する原稿から画像データを読み取るとともに、当該源原稿にかかわる画像データの蓄積先を示す蓄積先情報と当該一つの部分が当該源原稿の一部であることを示す分割情報とを含む様式原稿から画像データを読み取る読取手段と、読取手段が読み取った様式原稿にかかわる画像データに基づき、蓄積先に対し、分割情報と前記一つの部分に属する原稿にかかわる画像データとを送信し蓄積を依頼する制御手段と、を備えている。【選択図】図１１
2010226152.tif 000002
【特許請求の範囲】
【請求項１】
複数枚の源原稿が複数の部分に分割される場合の一つの部分に属する原稿から画像データを読み取るとともに、当該源原稿にかかわる画像データの蓄積先を示す蓄積先情報と当該一つの部分が当該源原稿の一部であることを示す分割情報とを含む様式原稿から画像データを読み取る読取手段と、
前記読取手段が読み取った前記様式原稿にかかわる画像データに基づき、前記蓄積先に対し、前記分割情報と前記一つの部分に属する原稿にかかわる画像データとを送信し蓄積を依頼する制御手段と、
を有することを特徴とする画像処理装置。
【請求項２】
前記様式原稿は、
前記一つの部分に属する原稿にかかわる画像データに対する新規または追加の蓄積処理を示す処理情報をさらに含み、
前記制御手段は、
前記蓄積先に対し、前記処理情報と前記分割情報と前記一つの部分に属する原稿にかかわる画像データとを送信し蓄積を依頼する、
ことを特徴とする請求項１記載の画像処理装置。
【請求項３】
前記読取手段は、
前記複数枚の源原稿が複数の部分に分割される場合の一つの部分に属する原稿にかかわる画像データの蓄積先を示す蓄積先情報と蓄積されている当該画像データに対する削除処理を示す処理情報と当該一つの部分が当該源原稿の一部であることを示す分割情報とを含む様式原稿から画像データを読み取り、
前記制御手段は、
前記読取手段が読み取った前記様式原稿にかかわる画像データに基づき、前記蓄積先に対し、前記処理情報と前記分割情報とを送信し削除を依頼する、
ことを特徴とする請求項１または２記載の画像処理装置。
【請求項４】
複数枚の源原稿が複数の部分に分割される場合の当該源原稿にかかわる画像データの蓄積先を示す蓄積先情報と当該画像データに対する印刷処理を示す処理情報とを含む様式原稿から画像データを読み取る読取手段と、
前記読取手段が読み取った前記画像データに基づき、前記蓄積先に対し、前記源原稿にかかわる画像データの印刷を要求する制御手段と、
を有することを特徴とする画像処理装置。
【請求項５】
表示情報を表示する表示手段と、
複数の選択肢の中から選択肢を選択する選択手段と、
を更に有し、
前記制御手段は、
前記処理情報が前記源原稿にかかわる画像データの一部についての印刷処理を示している場合に、前記蓄積先に要求して得られた前記複数の部分を示す情報の一覧を前記表示手段に表示させるとともに、前記蓄積先に対し、前記表示手段に表示された当該一覧の中から前記選択手段によって選択された少なくとも一つの選択肢に属する画像データの印刷を要求する
ことを特徴とする請求項４記載の画像処理装置。
【請求項６】
前記制御手段は、
前記処理情報が前記源原稿にかかわる画像データの一部についての印刷処理を示している場合に、前記蓄積先に対し、蓄積されている前記源原稿にかかわる複数の部分のそれぞれを示す部分情報を要求する部分情報要求手段と、
前記要求に対する前記蓄積先からの前記複数の部分に対応する複数の部分情報を取得する取得手段と、
前記取得手段が取得した複数の部分情報の一覧を前記表示手段に表示させるとともに、前記表示手段に表示された一覧の中から前記選択手段によって選択された少なくとも一つの選択肢の部分情報を認識する処理手段と、
前記蓄積先に対し、前記処理手段が認識した部分情報に対応する部分に属する原稿にかかわる画像データの印刷を要求する一部印刷要求手段と、
を有することを特徴とする請求項５記載の画像処理装置。
【請求項７】
前記読取手段は、
前記蓄積先情報と前記複数枚の源原稿にかかわる複数の部分に属する画像データの蓄積状況の問い合わせ処理を示す処理情報とを含む様式原稿から画像データを読み取り、
前記制御手段は、
前記読取手段が読み取った前記様式原稿にかかわる画像データに基づき、前記蓄積先に対し、前記複数の部分に属する画像データの蓄積状況を問い合わせる、
ことを特徴とする請求項４〜６の何れか一項に記載の画像処理装置。
【請求項８】
前記読取手段は、
前記蓄積先情報と前記複数枚の源原稿にかかわる画像データの削除処理を示す処理情報とを含む様式原稿から画像データを読み取り、
前記制御手段は、
前記読取手段が読み取った前記様式原稿にかかわる画像データに基づき、前記蓄積先に対し、前記処理情報を送信し削除を依頼する、
ことを特徴とする請求項４〜７の何れか一項に記載の画像処理装置。
【請求項９】
複数枚の源原稿が複数の部分に分割される場合の当該源原稿を示す情報に対応して、部分毎に当該部分が当該源原稿の一部であることを示す分割情報と当該部分に属する画像データの蓄積状況を示す蓄積状況情報とを関連付けて記憶する管理情報記憶手段と、
前記部分毎に当該部分に属する原稿にかかわる画像データを蓄積する蓄積手段と、
前記複数の部分中の一つの部分に属する原稿にかかわる画像データおよび当該一つの部分が当該源原稿の一部であることを示す分割情報を画像処理装置から取得するデータ取得手段と、
前記データ取得手段が取得した画像データを前記蓄積手段に格納するとともに前記管理情報記憶手段の内容を更新する制御手段と、
を有することを特徴とする画像形成装置。
【請求項１０】
前記データ取得手段は、
前記一つの部分に属する原稿にかかわる画像データに対する新規または追加の蓄積処理を示す処理情報と当該一つの部分に属する原稿にかかわる画像データと当該一つの部分が当該源原稿の一部であることを示す分割情報とを画像処理装置から取得し、
前記制御手段は、
前記データ取得手段が取得した取得情報に基づき、前記画像データを前記蓄積手段に格納するとともに、当該一つの部分に対応する前記分割情報と当該画像データを新規または追加として蓄積したことを意味する前記蓄積状況情報とを関連付けて前記管理情報記憶手段に記憶する、
ことを特徴とする請求項９記載の画像形成装置。
【請求項１１】
前記複数枚の源原稿にかかわる画像データの印刷要求を前記画像処理装置から取得する要求取得手段と、
前記要求取得手段が前記印刷要求を取得したときは、前記蓄積手段から前記複数枚の源原稿を示す情報に対応する前記複数の部分のそれぞれに属する画像データを読み出す読出手段と、
前記読出手段によって読み出された画像データを一つの文書として印刷する印刷手段と、
を更に有する、ことを特徴とする請求項９または１０記載の画像形成装置。
【請求項１２】
前記要求取得手段は、
前記複数枚の源原稿にかかわる前記複数の部分の中から選択された部分に属する原稿にかかわる画像データの印刷要求を前記画像処理装置から取得し、
前記読出手段は、
前記要求取得手段が前記問い合わせ要求を取得したときは、前記蓄積手段から前記選択された部分に属する原稿にかかわる画像データを読み出し、
前記印刷手段は、
前記読出手段によって読み出された画像データを前記複数枚の源原稿の一部として印刷する、
ことを特徴とする請求項９〜１１の何れか一項に記載の画像形成装置。
【請求項１３】
前記要求取得手段は、
前記複数枚の源原稿にかかわる前記複数の部分に属する原稿にかかわる画像データの蓄積状況の問い合わせ要求を前記画像処理装置から取得し、
前記制御手段は、
前記要求取得手段が前記問い合わせ要求を取得したときは、前記管理情報手段の記憶内容に基づき前記複数の部分に属する原稿にかかわる画像データの蓄積状況情報を前記画像処理装置に向けて送信する、
ことを特徴とする請求項９〜１２の何れか一項に記載の画像形成装置。
【請求項１４】
前記複数枚の源原稿にかかわる複数の部分の全部または一部に属する原稿にかかわる画像データの削除要求を前記画像処理装置から取得する削除要求取得手段、を更に有し、
前記制御手段は、
前記削除要求取得手段が前記削除要求を取得したときは、前記管理情報手段の記憶内容を更新するとともに、前記蓄積手段から該当する画像データを削除する、
ことを特徴とする請求項９〜１３の何れか一項に記載の画像形成装置。
【請求項１５】
請求項１から請求項８の何れか一項に記載の一つ以上の画像処理装置と、請求項９から請求項１４の何れか一項に記載の画像形成装置とが通信回線を介して接続されたことを特徴とする画像形成システム。
【請求項１６】
複数枚の源原稿が複数の部分に分割される場合の当該源原稿にかかわる画像データの蓄積先を示す蓄積先情報と当該一つの部分が当該源原稿の一部であることを示す分割情報とを含む様式原稿から読み取られた画像データに基づき、前記蓄積先情報に基づく蓄積先に対し、当該一つの部分に属する原稿から読み取られた画像データと前記分割情報とを送信し蓄積を依頼する制御処理過程、
をコンピュータに実行させることを特徴とする処理プログラム。
【請求項１７】
複数枚の源原稿が複数の部分に分割される場合の当該源原稿にかかわる画像データの蓄積先を示す蓄積先情報と当該画像データに対する印刷処理を示す処理情報とを含む様式原稿から読み取られた画像データに基づき、前記蓄積先情報に基づく蓄積先に対し、前記源原稿にかかわる画像データの印刷を要求する制御処理過程、
をコンピュータに実行させることを特徴とする処理プログラム。
【請求項１８】
複数枚の源原稿が複数の部分に分割される場合の一つの部分に属する原稿にかかわる画像データおよび当該一つの部分が当該源原稿の一部であることを示す分割情報を画像処理装置から取得するデータ取得処理過程と、
前記データ取得処理過程により取得された画像データを蓄積手段に格納するとともに、前記複数枚の原稿を示す情報に対応して、当該一つの部分が当該源原稿の一部であることを示す分割情報と当該一つの部分に属する原稿にかかわる画像データの蓄積状況を示す蓄積状況情報とを関連付けて管理情報記憶手段に記憶する制御処理過程と、
をコンピュータに実行させることを特徴とする処理プログラム。
【請求項１９】
複数枚の源原稿が複数の部分に分割される場合の当該複数枚の源原稿にかかわる画像データの印刷要求を画像処理装置から取得する要求取得処理過程と、
前記要求取得処理過程により前記印刷要求が取得された場合に、前記複数枚の源原稿を示す情報に対応する複数の部分のそれぞれに属する原稿にかかわる画像データを蓄積手段から読み出す読出処理過程と、
前記読出処理過程により読み出された画像データを一つの文書として印刷処理を実行させる制御処理過程と、
をコンピュータに実行させることを特徴とする処理プログラム。
【発明の詳細な説明】
【技術分野】
【０００１】
本発明は、画像処理装置、画像形成装置、画像形成システム、処理プログラムに関するものである。
【背景技術】
【０００２】
従来、文書読取装置には、読み取った画像データがフォーム原稿であるときに、フォーム原稿に記入されている処理条件に従って、そのフォーム原稿の間に挟まれている原稿から読み取った画像データを文書単位の画像ファイルとしてサーバ装置に送出し蓄積管理させるものがある（例えば、特許文献１参照。）。
【先行技術文献】
【特許文献】
【０００３】
【特許文献１】特開２０００−３５３１７１号公報
【発明の概要】
【発明が解決しようとする課題】
【０００４】
本発明は、複数枚の原稿が複数の部分に分割される場合に、当該部分単位に読み取り処理を実施し当該複数の部分を一つの文書として印刷させることのできる画像処理装置、画像形成システム、処理プログラムを提供することを目的とする。
【０００５】
また、本発明は、複数枚の原稿が複数の部分に分割される場合に、当該部分単位に処理するとともに当該複数の部分を一つの文書として印刷することのできる画像形成装置、画像形成システム、処理プログラムを提供することを目的とする。
【課題を解決するための手段】
【０００６】
上記課題を解決するため、請求項１に記載の本発明の画像処理装置は、複数枚の源原稿が複数の部分に分割される場合の一つの部分に属する原稿から画像データを読み取るとともに、当該源原稿にかかわる画像データの蓄積先を示す蓄積先情報と当該一つの部分が当該源原稿の一部であることを示す分割情報とを含む様式原稿から画像データを読み取る読取手段と、前記読取手段が読み取った前記様式原稿にかかわる画像データに基づき、前記蓄積先に対し、前記分割情報と前記一つの部分に属する原稿にかかわる画像データとを送信し蓄積を依頼する制御手段と、を有することを特徴とする。
【０００７】
請求項２に記載の発明は、上記請求項１に記載の発明において、前記様式原稿は、前記一つの部分に属する原稿にかかわる画像データに対する新規または追加の蓄積処理を示す処理情報をさらに含み、前記制御手段は、前記蓄積先に対し、前記処理情報と前記分割情報と前記一つの部分に属する原稿にかかわる画像データとを送信し蓄積を依頼する、ことを特徴とする。
【０００８】
請求項３に記載の発明は、上記請求項１または２に記載の発明において、前記読取手段は、前記複数枚の源原稿が複数の部分に分割される場合の一つの部分に属する原稿にかかわる画像データの蓄積先を示す蓄積先情報と蓄積されている当該画像データに対する削除処理を示す処理情報と当該一つの部分が当該源原稿の一部であることを示す分割情報とを含む様式原稿から画像データを読み取り、前記制御手段は、前記読取手段が読み取った前記様式原稿にかかわる画像データに基づき、前記蓄積先に対し、前記処理情報と前記分割情報とを送信し削除を依頼する、ことを特徴とする。
【０００９】
上記課題を解決するため、請求項４に記載の本発明の画像処理装置は、複数枚の源原稿が複数の部分に分割される場合の当該源原稿にかかわる画像データの蓄積先を示す蓄積先情報と当該画像データに対する印刷処理を示す処理情報とを含む様式原稿から画像データを読み取る読取手段と、前記読取手段が読み取った前記画像データに基づき、前記蓄積先に対し、前記源原稿にかかわる画像データの印刷を要求する制御手段と、を有することを特徴とする。
【００１０】
請求項５に記載の発明は、上記請求項４に記載の発明において、表示情報を表示する表示手段と、複数の選択肢の中から選択肢を選択する選択手段と、を更に有し、前記制御手段は、前記処理情報が前記源原稿にかかわる画像データの一部についての印刷処理を示している場合に、前記蓄積先に要求して得られた前記複数の部分を示す情報の一覧を前記表示手段に表示させるとともに、前記蓄積先に対し、前記表示手段に表示された当該一覧の中から前記選択手段によって選択された少なくとも一つの選択肢に属する画像データの印刷を要求することを特徴とする。
【００１１】
請求項６に記載の発明は、上記請求項５に記載の発明において、前記制御手段は、前記処理情報が前記源原稿にかかわる画像データの一部についての印刷処理を示している場合に、前記蓄積先に対し、蓄積されている前記源原稿にかかわる複数の部分のそれぞれを示す部分情報を要求する部分情報要求手段と、前記要求に対する前記蓄積先からの前記複数の部分に対応する複数の部分情報を取得する取得手段と、前記取得手段が取得した複数の部分情報の一覧を前記表示手段に表示させるとともに、前記表示手段に表示された一覧の中から前記選択手段によって選択された少なくとも一つの選択肢の部分情報を認識する処理手段と、前記蓄積先に対し、前記処理手段が認識した部分情報に対応する部分に属する原稿にかかわる画像データの印刷を要求する一部印刷要求手段と、を有することを特徴とする。
【００１２】
請求項７に記載の発明は、上記請求項４〜６の何れか一項に記載の発明において、前記読取手段は、前記蓄積先情報と前記複数枚の源原稿にかかわる複数の部分に属する画像データの蓄積状況の問い合わせ処理を示す処理情報とを含む様式原稿から画像データを読み取り、前記制御手段は、前記読取手段が読み取った前記様式原稿にかかわる画像データに基づき、前記蓄積先に対し、前記複数の部分に属する画像データの蓄積状況を問い合わせる、ことを特徴とする。
【００１３】
請求項８に記載の発明は、上記請求項４〜７の何れか一項に記載の発明において、前記読取手段は、前記蓄積先情報と前記複数枚の源原稿にかかわる画像データの削除処理を示す処理情報とを含む様式原稿から画像データを読み取り、前記制御手段は、前記読取手段が読み取った前記様式原稿にかかわる画像データに基づき、前記蓄積先に対し、前記処理情報を送信し削除を依頼する、ことを特徴とする。
【００１４】
上記課題を解決するため、請求項９に記載の本発明の画像形成装置は、複数枚の源原稿が複数の部分に分割される場合の当該源原稿を示す情報に対応して、部分毎に当該部分が当該源原稿の一部であることを示す分割情報と当該部分に属する画像データの蓄積状況を示す蓄積状況情報とを関連付けて記憶する管理情報記憶手段と、前記部分毎に当該部分に属する原稿にかかわる画像データを蓄積する蓄積手段と、前記複数の部分中の一つの部分に属する原稿にかかわる画像データおよび当該一つの部分が当該源原稿の一部であることを示す分割情報を画像処理装置から取得するデータ取得手段と、前記データ取得手段が取得した画像データを前記蓄積手段に格納するとともに前記管理情報記憶手段の内容を更新する制御手段と、を有することを特徴とする。
【００１５】
請求項１０に記載の発明は、上記請求項９に記載の発明において、前記データ取得手段は、前記一つの部分に属する原稿にかかわる画像データに対する新規または追加の蓄積処理を示す処理情報と当該一つの部分に属する原稿にかかわる画像データと当該一つの部分が当該源原稿の一部であることを示す分割情報とを画像処理装置から取得し、前記制御手段は、前記データ取得手段が取得した取得情報に基づき、前記画像データを前記蓄積手段に格納するとともに、当該一つの部分に対応する前記分割情報と当該画像データを新規または追加として蓄積したことを意味する前記蓄積状況情報とを関連付けて前記管理情報記憶手段に記憶する、ことを特徴とする。
【００１６】
請求項１１に記載の発明は、上記請求項９または１０に記載の発明において、前記複数枚の源原稿にかかわる画像データの印刷要求を前記画像処理装置から取得する要求取得手段と、前記要求取得手段が前記印刷要求を取得したときは、前記蓄積手段から前記複数枚の源原稿を示す情報に対応する前記複数の部分のそれぞれに属する画像データを読み出す読出手段と、前記読出手段によって読み出された画像データを一つの文書として印刷する印刷手段と、を更に有する、ことを特徴とする。
【００１７】
請求項１２に記載の発明は、上記請求項９〜１１の何れか一項に記載の発明において、前記要求取得手段は、前記複数枚の源原稿にかかわる前記複数の部分の中から選択された部分に属する原稿にかかわる画像データの印刷要求を前記画像処理装置から取得し、前記読出手段は、前記要求取得手段が前記問い合わせ要求を取得したときは、前記蓄積手段から前記選択された部分に属する原稿にかかわる画像データを読み出し、前記印刷手段は、前記読出手段によって読み出された画像データを前記複数枚の源原稿の一部として印刷する、ことを特徴とする。
【００１８】
請求項１３に記載の発明は、上記請求項９〜１２の何れか一項に記載の発明において、前記要求取得手段は、前記複数枚の源原稿にかかわる前記複数の部分に属する原稿にかかわる画像データの蓄積状況の問い合わせ要求を前記画像処理装置から取得し、前記制御手段は、前記要求取得手段が前記問い合わせ要求を取得したときは、前記管理情報手段の記憶内容に基づき前記複数の部分に属する原稿にかかわる画像データの蓄積状況情報を前記画像処理装置に向けて送信する、ことを特徴とする。
【００１９】
請求項１４に記載の発明は、上記請求項９〜１３の何れか一項に記載の発明において、前記複数枚の源原稿にかかわる複数の部分の全部または一部に属する原稿にかかわる画像データの削除要求を前記画像処理装置から取得する削除要求取得手段、を更に有し、前記制御手段は、前記削除要求取得手段が前記削除要求を取得したときは、前記管理情報手段の記憶内容を更新するとともに、前記蓄積手段から該当する画像データを削除する、ことを特徴とする。
【００２０】
上記課題を解決するため、請求項１５に記載の本発明の画像形成システムは、請求項１から請求項８の何れか一項に記載の一つ以上の画像処理装置と、請求項９から請求項１４の何れか一項に記載の画像形成装置とが通信回線を介して接続されたことを特徴とする。
【００２１】
上記課題を解決するため、請求項１６に記載の本発明の処理プログラムは、複数枚の源原稿が複数の部分に分割される場合の当該源原稿にかかわる画像データの蓄積先を示す蓄積先情報と当該一つの部分が当該源原稿の一部であることを示す分割情報とを含む様式原稿から読み取られた画像データに基づき、前記蓄積先情報に基づく蓄積先に対し、当該一つの部分に属する原稿から読み取られた画像データと前記分割情報とを送信し蓄積を依頼する制御処理過程、をコンピュータに実行させることを特徴とする。
【００２２】
上記課題を解決するため、請求項１７に記載の本発明の処理プログラムは、複数枚の源原稿が複数の部分に分割される場合の当該源原稿にかかわる画像データの蓄積先を示す蓄積先情報と当該画像データに対する印刷処理を示す処理情報とを含む様式原稿から読み取られた画像データに基づき、前記蓄積先情報に基づく蓄積先に対し、前記源原稿にかかわる画像データの印刷を要求する制御処理過程、をコンピュータに実行させることを特徴とする。
【００２３】
上記課題を解決するため、請求項１８に記載の本発明の処理プログラムは、複数枚の源原稿が複数の部分に分割される場合の一つの部分に属する原稿にかかわる画像データおよび当該一つの部分が当該源原稿の一部であることを示す分割情報を画像処理装置から取得するデータ取得処理過程と、前記データ取得処理過程により取得された画像データを蓄積手段に格納するとともに、前記複数枚の原稿を示す情報に対応して、当該一つの部分が当該源原稿の一部であることを示す分割情報と当該一つの部分に属する原稿にかかわる画像データの蓄積状況を示す蓄積状況情報とを関連付けて管理情報記憶手段に記憶する制御処理過程と、をコンピュータに実行させることを特徴とする。
【００２４】
上記課題を解決するため、請求項１９に記載の本発明の処理プログラムは、複数枚の源原稿が複数の部分に分割される場合の当該複数枚の源原稿にかかわる画像データの印刷要求を画像処理装置から取得する要求取得処理過程と、前記要求取得処理過程により前記印刷要求が取得された場合に、前記複数枚の源原稿を示す情報に対応する複数の部分のそれぞれに属する原稿にかかわる画像データを蓄積手段から読み出す読出処理過程と、前記読出処理過程により読み出された画像データを一つの文書として印刷処理を実行させる制御処理過程と、をコンピュータに実行させることを特徴とする。
【発明の効果】
【００２５】
請求項１記載の発明によれば、複数枚の原稿が複数の部分に分割される場合に、当該部分単位に読み取り処理を実施し当該複数の部分を一つの文書として印刷させることができる。
【００２６】
請求項２記載の発明によれば、複数枚の原稿が複数の部分に分割される場合に、蓄積先に対し、当該部分単位に新規または追加の蓄積処理を実施させることができる。
【００２７】
請求項３記載の発明によれば、複数枚の原稿に対応する複数の部分にかかわる部分単位で、蓄積先に対し、蓄積されている部分に属する原稿にかかわる画像データの差し替えを実施させることができる。
【００２８】
請求項４記載の発明によれば、複数枚の原稿が複数の部分に分割される場合に、当該部分単位に読み取り処理を実施し当該複数の部分を一つの文書として印刷させることができる。
【００２９】
請求項６記載の発明によれば、蓄積先に対し、蓄積済の複数枚の原稿に対応する複数の部分にかかわる画像データの中から一つ以上の部分かかわる画像データに対する印刷処理を実施させることができる。
【００３０】
請求項７記載の発明によれば、複数枚の原稿に対応する複数の部分にかかわる画像データの蓄積状況を確認した後に、蓄積先に対し当該画像データに対する印刷処理を実施させることができる。
【００３１】
請求項８記載の発明によれば、蓄積先に対し、蓄積済の複数枚の原稿に対応する複数の部分のそれぞれにかかわる画像データを削除させることができる。
【００３２】
請求項９記載の発明によれば、複数枚の原稿が複数の部分に分割される場合に、当該部分単位に処理するとともに当該複数の部分を一つの文書として印刷することができる。
【００３３】
請求項１０記載の発明によれば、複数枚の原稿に対応する複数の部分にかかわる部分毎に新規または追加での蓄積の状況を管理することができる。
【００３４】
請求項１１記載の発明によれば、複数枚の原稿に対応する複数の部分のそれぞれを異なるタイミングで取得し蓄積した場合であっても、当該複数の部分を一つの文書として印刷することができる。
【００３５】
請求項１２記載の発明によれば、蓄積済の複数枚の原稿に対応する複数の部分にかかわる画像データの中から指定された一つ以上の部分にかかわる画像データについて印刷することができる。
【００３６】
請求項１３記載の発明によれば、複数枚の原稿に対応する複数の部分にかかわる画像データの蓄積状況情報を問い合わせ要求元へ提供することができる。
【００３７】
請求項１４記載の発明によれば、複数枚の原稿に対応する複数の部分の全部または一部を削除することができる。
【００３８】
請求項１５記載の発明によれば、複数枚の原稿が複数の部分に分割される場合に、当該部分単位に処理するとともに当該複数の部分を一つの文書として印刷することができる。
【００３９】
請求項１６記載の発明によれば、複数枚の原稿が複数の部分に分割される場合に、当該部分単位に読み取り処理を実施し当該複数の部分を一つの文書として印刷させるソフトウェアを提供することができる。
【００４０】
請求項１７記載の発明によれば、複数枚の原稿が複数の部分に分割される場合に、当該部分単位に読み取り処理を実施し当該複数の部分を一つの文書として印刷させるソフトウェアを提供することができる。
【００４１】
請求項１８記載の発明によれば、複数枚の原稿が複数の部分に分割される場合に、当該部分単位に処理するとともに当該複数の部分を一つの文書として印刷させるソフトウェアを提供することができる。
【００４２】
請求項１９記載の発明によれば、複数枚の原稿が複数の部分に分割される場合に、当該部分単位に処理するとともに当該複数の部分を一つの文書として印刷させるソフトウェアを提供することができる。
【図面の簡単な説明】
【００４３】
【図１】第１の実施の形態に係る画像形成システムの構成を示す構成図である。
【図２】第１の実施の形態に係る分割蓄積管理フォームおよび分割蓄積登録フォームを用いた源原稿に対応する分割部分にかかわるデータの蓄積および印刷を説明する図である。
【図３】第１の実施の形態に係る画像入力装置の機能構成を示すブロック図である。
【図４】第１の実施の形態に係る画像形成装置の機能構成を示すブロック図である。
【図５】第１の実施の形態に係る分割蓄積管理フォームの一例を示す図である。
【図６】第１の実施の形態に係る分割蓄積登録フォームの一例を示す図である。
【図７】第１の実施の形態に係る画像形成装置の管理情報記憶部に記憶される蓄積情報管理テーブルの一例を示す図である。
【図８】第１の実施の形態に係る画像形成装置による分割蓄積処理の登録に関する登録処理の処理手順を示すフローチャートである。
【図９】第１の実施の形態に係る画像入力装置による分割蓄積登録処理の処理手順を示すフローチャートである。
【図１０】第１の実施の形態に係る画像形成装置による分割蓄積処理および分割蓄積管理処理の処理手順を示すフローチャートである。
【図１１】第１の実施の形態に係る画像形成システムの分割蓄積処理の処理過程を説明する図である。
【図１２】第１の実施の形態に係る画像形成装置での分割蓄積処理を登録するための手順を説明する図である。
【図１３】第１の実施の形態に係る画像形成装置の管理情報記憶部に記憶されている蓄積情報管理テーブルの一例（分割蓄積処理の登録が行われた直後の状態）を示す図である。
【図１４】第１の実施の形態に係る画像入力装置に読み込ませる分割蓄積登録フォームの一例を示す図である。
【図１５】第１の実施の形態に係る画像形成装置の管理情報記憶部に記憶されている蓄積情報管理テーブルの一例（分割蓄積登録フォームによりデータが蓄積された状態）を示す図である。
【図１６】第２の実施の形態に係る画像形成システムの分割蓄積処理の処理過程を説明する図である。
【図１７】第２の実施の形態に係る画像形成装置の管理情報記憶部に記憶されている蓄積情報管理テーブルの一例（分割蓄積登録フォームによる原稿の追加が行われた場合の追加のデータが蓄積された状態）を示す図である。
【図１８】第３の実施の形態に係る画像形成システムの分割蓄積処理の処理過程を説明する図である。
【図１９】第４の実施の形態に係る画像形成装置の制御部の機能構成を示すブロック図である。
【図２０】第４の実施の形態に係る画像形成システムの蓄積データ印刷処理（全文書印刷）の処理過程を説明する図である。
【図２１】第４の実施の形態に係る画像入力装置に読み込ませる分割蓄積管理フォームの一例を示す図である。
【図２２】第５の実施の形態に係る画像入力装置の制御部の機能構成を示すブロック図である。
【図２３】第５の実施の形態に係る画像形成システムの蓄積データ印刷処理（一部文書印刷）の処理過程を説明する図である。
【図２４】第６の実施の形態に係る画像形成装置から印刷出力される蓄積管理情報シートを説明する図である。
【図２５】第６の実施の形態に係る画像形成システムの管理情報印刷処理の処理過程を説明する図である。
【図２６】第６の実施の形態に係る画像形成装置から印刷出力される蓄積管理情報シートの一例を示す図である。
【図２７】第７の実施の形態に係る画像形成装置の制御部の機能構成を示すブロック図である。
【図２８】第７の実施の形態に係る画像形成システムの蓄積データ削除処理の処理過程を説明する図である。
【図２９】第７の実施の形態に係る画像形成装置の管理情報記憶部に記憶されている蓄積情報管理テーブルの一例（蓄積データが全て削除された状態）を示す図である。
【図３０】第８の実施の形態に係る画像形成システムの蓄積データ印刷処理（全文書印刷）の処理過程を説明する図である。
【図３１】第９の実施の形態に係る画像形成システムの蓄積データ取得処理の処理過程を説明する図である。
【図３２】第１〜第９の実施の形態に係る画像入力装置のハードウェア構成を示す構成図である。
【図３３】第１〜第９の実施の形態に係る画像形成装置のハードウェア構成を示す構成図である。
【発明を実施するための形態】
【００４４】
以下、本発明の一例としての実施の形態について、図面に基づいて詳細に説明する。なお、実施の形態を説明するための図面において、同一の構成要素には原則として同一の符号を付し、その繰り返しの説明は省略する。
【００４５】
（第１の実施の形態）
【００４６】
第１の実施の形態に係る画像形成システムについて、図１を参照して説明する。
【００４７】
画像形成システム１では、図１に示すように、複数（３台）の画像入力装置１００＃１，１００＃２，１００＃３と画像形成装置２００と情報処理装置３００とが通信回線４００を介して接続されている。
【００４８】
画像形成装置２００は、例えばプリンタであり、データ（印刷データ）の蓄積および印刷処理を行う。
【００４９】
また、画像形成装置２００は、ユーザが複数枚の原稿を分割して蓄積先例えば当該画像形成装置２００に蓄積したい場合に、複数枚の原稿（源原稿）にかかわる分割数を設定するための機能を有しており、ユーザにより設定された前記分割数に応じて、分割蓄積管理フォーム（以下「親フォーム」という）と分割蓄積登録フォーム（以下「子フォーム」という）とを印刷出力する。なお、親フォームおよび子フォームの詳細については後述する。
【００５０】
例えば、ユーザが図２（ａ）に示す９枚の原稿（源原稿）Ｐ１〜Ｐ９を３つの部分に分割して蓄積先（例えば画像形成装置２００）に蓄積させたい場合に、画像形成装置２００を操作して分割数として「３」を設定することにより、画像形成装置２００からは、図２（ｂ）に示すように、１枚の親フォームＦ０と、分割数＝３に応じた３枚の子フォームＦ１，Ｆ２，Ｆ３とが印刷出力される。
【００５１】
第１の実施の形態において、親フォームおよび子フォームのそれぞれは様式原稿を意味する。
【００５２】
画像処理装置としての複数の画像入力装置１００＃１，１００＃２，１００＃３は、例えばスキャナであり、上記子フォーム（様式原稿）および原稿（源原稿）の読み取り処理を行った場合は、この読み取り処理の結果に基づき当該原稿（源原稿）にかかわる画像データを、蓄積先としての画像形成装置２００に対し送信し蓄積を依頼する。
【００５３】
具体的には、ユーザは、例えば９枚の原稿Ｐ１〜Ｐ９（図２（ａ）参照）を、３枚の原稿Ｐ１〜Ｐ３、３枚の原稿Ｐ４〜Ｐ６、および３枚の原稿Ｐ７〜Ｐの３つに分割して蓄積先に蓄積させたいときは、図２（ｃ）に示すように、先頭に子フォームＦ１とこれに後続する複数枚の原稿Ｐ１〜Ｐ３とを組みにし、また先頭に子フォームＦ２とこれに後続する複数枚の原稿Ｐ４〜Ｐ６とを組みにし、さらに先頭に子フォームＦ３とこれに後続する複数枚の原稿Ｐ７〜Ｐ９とを組みにする。
【００５４】
そして、ユーザは、これら各組の子フォームおよび原稿のそれぞれを、例えば複数の画像入力装置１００＃１，１００＃２，１００＃３にセットして、スキャン開始（読み取り開始）の指示を行う。
【００５５】
例えば、画像入力装置１００＃１は、セットされた子フォームＦ１および複数枚の原稿Ｐ１〜Ｐ３を読み取ることにより生成した画像データを印刷データとして蓄積先としての例えば画像形成装置２００に向けて送信する。
【００５６】
画像入力装置１００＃２は、セットされた子フォームＦ２および複数枚の原稿Ｐ４〜Ｐ６を読み取ることにより生成した画像データを印刷データとして蓄積先としての例えば画像形成装置２００に向けて送信する。
【００５７】
画像入力装置１００＃３は、セットされた子フォームＦ３および複数枚の原稿Ｐ７〜Ｐ９を読み取ることにより生成した画像データを印刷データとして蓄積先としての例えば画像形成装置２００に向けて送信する。
【００５８】
勿論、ユーザは、これら各組の子フォームおよび原稿のそれぞれを、一つの画像入力装置にセットして、スキャン開始（読み取り開始）の指示を行うようにしてもよい。
【００５９】
また、画像入力装置１００＃１，１００＃２，１００＃３は、図２（ｄ）に示すように、上記親フォーム（様式原稿）についての読み取り処理を行った場合は、この読み取り処理の結果に基づき、蓄積先としての画像形成装置２００に対し印刷要求を行う。
【００６０】
第１の実施の形態では、「複数枚の源原稿が複数の部分に分割された分割後の各部分」を「分割部分」と定義する。例えば、図２に示す例では、３分割された後の３枚の原稿Ｐ１〜Ｐ３、３枚の原稿Ｐ４〜Ｐ６、３枚の原稿Ｐ７〜Ｐ９のそれぞれが分割部分に対応する。
【００６１】
情報処理装置３００は、例えばコンピュータであり、アプリケーションソフトウェアにより作成された文書データに対応する印刷データを画像形成装置２００に向けて送信する。また、情報処理装置３００は、画像入力装置が読み取った原稿の画像データの蓄積先として指定される場合もある。
【００６２】
通信回線４００としては、ローカルエリアネットワーク（ＬＡＮ＝Ｌｏｃａｌ  Ａｒｅａ  Ｎｅｔｗｏｒｋ）や電話回線などの有線通信回線、無線ＬＡＮなどの無線通信回線、さらには、これらの通信回線を組み合わせたもの、などが挙げられる。第１の実施の形態では、通信回線４００としてネットワークを採用するものとし、通信回線４００をネットワーク４００と表記する。
【００６３】
画像処理装置としての画像入力装置１００＃１，１００＃２，１００＃３は、図３に示すように、通信部１１０、制御部１２０、画像読取部１３０、画像解析部１４０、画像記憶部１５０、および操作／表示部１６０を有している。
【００６４】
通信部１１０は、ネットワーク４００に接続され、該ネットワーク４００に接続された画像形成装置２００とのデータの送受信を行う。受信されたデータは、制御部１２０に与えられる。
【００６５】
画像読取部１３０は、読取手段の機能を有し、子フォーム（分割蓄積登録フォーム、様式原稿）および分割部分、または親フォーム（分割蓄積管理フォーム、様式原稿）を光学的に読み取り画像データに変換する。この画像データは制御部１２０を経由して画像解析部１４０に与えられる。
【００６６】
画像解析部１４０は、制御部１２０から与えられる画像データを解析し、この解析した結果を制御部１２０へ出力する。
【００６７】
制御部１２０は、画像読取部１３０によって変換された画像データを取得して画像解析部１４０へ出力するとともに、画像解析部１４０によって解析された解析結果を取得し、この解析結果を基に、操作／表示部１６０に対しメッセージの表示の制御や入力要求などを行う。
【００６８】
また、制御部１２０は、制御手段の機能を有し、画像解析部１４００による解析処理の結果を基に、複数枚の原稿にかかわる画像データ（原稿データ）の蓄積処理あるいは印刷処理に関する制御を実施する。これら蓄積処理あるいは印刷処理に関する制御の詳細については後述する。
【００６９】
画像記憶部１５０は、画像形成装置２００にデータを送信できない場合に、一時保存用として使用され、そのデータを一時的に記憶する。
【００７０】
操作／表示部１６０は、当該画像入力装置の状態、メニューなど選択肢やメッセージなど表示情報を表示する表示部（表示機能部）と、選択肢の選択、スキャン開始の指示など入力情報（選択情報）や指示情報を入力する入力部（入力機能部）とを有する。操作／表示部１６０の入力部によって入力された入力情報や指示情報は、制御部１２０に与えられる。操作／表示部１６０では、上記表示部は表示手段の機能を果たし、上記入力部は選択手段の機能を果たすものである。
【００７１】
画像形成装置２００は、図４に示すように、通信部２１０、制御部２２０、蓄積部２３０、管理情報記憶部２４０、画像処理部２５０、印刷処理部２６０、および操作／表示部２７０を有している。
【００７２】
通信部２１０は、ネットワーク４００に接続され、該ネットワーク４００に接続された画像入力装置１００＃１，１００＃２，１００＃３とのデータの送受信を行う。受信されたデータは制御部２２０に与えられる。
【００７３】
制御部２２０は、データ取得部２２１を有しており、データ取得部２２１が取得した画像データを蓄積部２３０に格納するとともに管理情報記憶部２４０の記憶内容を更新する。制御部２２０は、制御手段の機能を有する。
【００７４】
データ取得部２２１は、データ取得手段の機能を有し、通信部２１０を介して、画像処理装置としての画像入力装置からの子フォームの画像データおよび分割部分の画像データを取得する。
【００７５】
蓄積部２３０は、蓄積手段の機能を有し、分割部分毎に当該分割部分に属する原稿にかかわる画像データを蓄積する。
【００７６】
管理情報記憶部２４０は、管理情報記憶手段の機能を有し、後述する蓄積情報管理テーブルを記憶する。
【００７７】
画像処理部２５０は、制御部２２０から与えられる印刷データを基にページ単位の画像データ（ラスタデータ）の生成など画像処理を実施する。
【００７８】
印刷処理部２６０は、印刷手段の機能を有し、例えば電子写真プロセスを実行するものであり、画像処理部２４０によって生成されたページ単位の画像データを基に、画像を記録用紙に画像形成（印刷）する。
【００７９】
操作／表示部２７０は、当該画像形成装置２００の状態、画像形成（印刷）中のメッセージやエラーメッセージなど表示情報を表示する表示部（表示機能）と、入力情報や指示情報を入力する入力部（入力機能）とを有する。その入力部によって入力された入力情報や指示情報は制御部２２０に与えられる。
【００８０】
次に、親フォーム（分割蓄積管理フォーム）について、図５を参照して説明する。
【００８１】
親フォーム５００は、図５に示すように、蓄積先５１０、分割数５２０、処理５３０、管理コード５４０の各項目から構成されている。
【００８２】
蓄積先５１０の項目は、親フォームで管理されている蓄積データが格納されている蓄積先の名称、例えば画像形成装置名（プリンタ名）または情報処理装置名（コンピュータ名）を示す。これらの画像形成装置名または情報処理装置名は蓄積先情報を示す。
【００８３】
分割数５２０の項目は、子フォームの数を示す。
【００８４】
処理５３０の項目は、画像形成装置または蓄積データの蓄積先に対する処理を指定するためにユーザに対して提示される各種の処理を示す。この例では、複数のチェックボックス（記号□で表記）に対応して「全文書印刷」、「一部文書印刷」、「管理情報印刷」、「削除」の処理が示されている。ユーザは、これら各種の処理の中から特定のチェックボックスをマーク形式で塗り潰しすることにより特定の処理を指定する。
【００８５】
「全文書印刷」は、子フォームにより登録されている文書を全て印刷することを意味する。
【００８６】
「一部文書印刷」は、画像入力装置の操作／表示部１６０の表示部（パネル）に表示される子フォーム番号入力画面の中から指定された子フォーム番号の子フォームに対応する文書を印刷することを意味する。
【００８７】
「管理情報印刷」は、親フォームが管理する子フォームにより登録されている文書の蓄積状況などの情報（以下「蓄積管理情報」という）を印刷することを意味する。
【００８８】
「削除」は、子フォームにより登録されている文書、及び親フォームが管理する情報を削除することを意味する。
【００８９】
管理コード５４０の項目は、フォーム種類、画像形成装置情報（プリンタ情報）、および蓄積データ管理情報がコード化された管理コードを示す。また、蓄積先が情報処理装置（コンピュータ）の場合は、前記各情報に加えて、当該情報処理装置情報がコード化された管理コードを示す。管理コード５４０の項目に登録される管理コードは、蓄積データの管理者が分割蓄積処理を画像形装置に登録したときに生成される。この管理コード５４０の項目に登録されている管理コードは、画像入力装置で読み込まれた際に、画像入力装置によって解析される。
【００９０】
第１の実施の形態では、管理コードは、英数字により表現するようにしているが、バーコードなどで表現するようにしてもよい。
【００９１】
上述したような親フォーム５００は、蓄積データの管理者（以下「蓄積データ管理者」という）が分割蓄積処理を画像形成装置２００に登録すると子フォームと同時に画像形成装置２００から出力される。親フォームは、子フォームの内容により画像入力装置から画像形成装置へ送信され蓄積されたデータを管理する際に用いられる。
【００９２】
親フォームを画像入力装置にて読み込ませると、画像入力装置は、親フォーム中の管理コードを解読し、蓄積先として指定された画像形成装置あるいは情報処理装置にアクセスし、この蓄積先に対し、蓄積されているデータについて、親フォームで指定された処理（全文書印刷、一部文書印刷、管理情報印刷、削除など）を実行させる。
【００９３】
なお、親フォームを画像入力装置に読み込ませることなく、画像形成装置２００の操作／表示部２７０を操作して管理コードを直接入力することにより、蓄積データにアクセス可能である。
【００９４】
次に、子フォーム（分割蓄積登録フォーム）について、図６を参照して説明する。
【００９５】
子フォーム６００は、図６に示すように、蓄積先６１０、分割番号６２０、処理６３０、管理コード６４０の各項目から構成されている。
【００９６】
蓄積先６１０の項目は、親フォームで管理されている蓄積データが蓄積されている蓄積先の名称、例えば画像形成装置名（プリンタ名）または情報処理装置名（コンピュータ名）を示す。これらの画像形成装置名または情報処理装置名は蓄積先情報を示す。
【００９７】
分割番号６２０の項目は、子フォームを管理する番号を示す。この分割番号は分割情報を示す。
【００９８】
処理６３０の項目は、画像形成装置または蓄積データの蓄積先に対する処理を指定するためにユーザに対して提示される各種の処理を示す。この例では、複数のチェックボックス（記号□で表記）に対応して「新規」、「追加」、「削除」の処理が示されている。ユーザは、これら各種の処理の中から特定のチェックボックスをマーク形式で塗り潰しすることにより特定の処理を指定する。
【００９９】
「新規」は、新規としてデータを追加することを意味する。この新規の処理が指定されているときは、分割番号６２０の項目に登録されている分割番号の子フォームに対応するデータとして既に格納されている場合でも、該格納済のデータ（蓄積データ）が削除された後、画像入力装置によって今回読み取られるデータが、当該分割番号の子フォームに対応するデータとして格納される。
【０１００】
「追加」は、既にデータが格納されている場合でも、続きの文書として格納することを意味する。この追加の処理が指定されているときは、画像入力装置によって今回読み取られるデータが、分割番号６２０の項目に登録されている分割番号の子フォームに対応するデータの続きのデータ（文書）として格納される。
【０１０１】
「削除」は、子フォームにより登録されている文書を削除する。この削除の処理が指定されているときは、分割番号６２０の項目に登録されている分割番号の子フォームに対応するデータ（蓄積データ）が削除される。
【０１０２】
管理コード６４０の項目は、フォーム種類、画像形成装置情報（プリンタ情報）、および蓄積データ管理情報がコード化された管理コードを示す。また、蓄積先が情報処理装置（コンピュータ）の場合は、前記各情報に加えて、当該情報処理装置情報がコード化された管理コードを示す。管理コード５４０の項目に登録される管理コードは、蓄積データ管理者が分割蓄積処理を画像形装置に登録したときに生成される。この管理コード６４０の項目に登録されている管理コードは、画像入力装置で読み込まれた際に、画像入力装置によって解析される。
【０１０３】
第１の実施の形態では、管理コードは、英数字により表現するようにしているが、バーコードなどで表現するようにしてもよい。
【０１０４】
上述したような子フォーム６００は、蓄積データ管理者が分割蓄積処理を画像形成装置２００に登録すると親フォームと同時に画像形成装置２００から出力される。
【０１０５】
先頭に子フォーム６００、この子フォーム６００に後続して原稿を画像入力装置に読み込ませることにより、画像入力装置は、子フォーム６００中の管理コードを解析し、子フォーム６００中に指定されている処理（新規、追加、削除など）を、蓄積先に対し実行させる。
【０１０６】
次に、画像形成装置２００の管理情報記憶部２４０に記憶される蓄積情報管理テーブルの一例について、図７を参照して説明する。
【０１０７】
蓄積情報管理テーブル２４００は、画像形成装置２００の蓄積部２３０に蓄積されているデータに関する情報を管理するテーブルを示し、画像形成装置２００あるいは情報処理装置３００に保持される。
【０１０８】
蓄積情報管理テーブル２４００は、図７に示すように、管理データＩＤ２４１０、ユーザ名２４１１、ドキュメント名２４１２、日時２４１３、分割数２４１４、自動印刷２４１５、親データＩＤ２４１６、分割番号２４１７、追加情報２４１８、管理コード２４１９の各項目が対応付けされている。
【０１０９】
管理データＩＤ２４１０の項目には、画像形成装置にデータが蓄積されたときに自動で付与される番号が登録される。
【０１１０】
ユーザ名２４１１の項目には、データを蓄積したユーザ名が登録される。第１の実施の形態では、親情報は「Ｐｒｉｎｔｅｒ」が登録され、子情報は「画像入力装置の名前（画像入力装置名）」が登録される。
【０１１１】
ドキュメント名２４１２の項目には、データが蓄積されるときに当該データに登録されているドキュメント名が登録される。
【０１１２】
日時２４１３の項目には、画像形成装置にデータが蓄積された日時が登録される。
【０１１３】
分割数２４１４の項目には、蓄積データ管理者が分割蓄積処理にて指定した分割数が登録される。ここで、分割数２４１４の項目に「１」が登録されている場合には通常の蓄積情報を示し、分割数２４１４の項目に「２以上」が登録されている場合には分割蓄積の親情報を示し、分割数２４１４の項目に「未登録（−）」が登録されている場合は分割蓄積の子情報を示す。
【０１１４】
自動印刷２４１５の項目には、分割されたジョブが全て蓄積された場合に自動で印刷を行うか否かを示す情報（自動印刷の有無情報）が登録される。この情報は親情報に対応して登録される。自動印刷２４１５の項目に、「Ｏｎ」が登録されている場合には自動で印刷することを示し、一方、「Ｏｆｆ」が登録されている場合は自動で印刷しないことを示す。これらの情報（「Ｏｎ」または「Ｏｆｆ」）は、蓄積データ管理者が分割蓄積処理を登録する際に、分割されたジョブが全て蓄積された場合に自動で印刷させるか否かの設定情報に基づき登録される。
【０１１５】
親データＩＤ２４１６の項目には、分割蓄積処理にて子フォームを管理している管理データＩＤが登録される。
【０１１６】
分割番号２４１７の項目には、子フォームのフォーム番号が登録される。ここで、      分割番号が「０」の場合には親の管理情報を示し、     分割番号が「２以上」の場合には子の管理情報を示し、分割番号が「未登録（−）」の場合は通常の蓄積を示す。
【０１１７】
追加情報２４１８の項目には、子フォームにて追加されたデータの数が登録される。
【０１１８】
管理コード２４１９の項目には、蓄積データ管理者が分割蓄積処理を登録した際に自動で付与される管理コードが登録される。この管理コードは、子フォーム６００の分割番号６２０の項目に示されている分割番号が同じ場合に、管理コード６４０の項目に登録されている管理コードと同一である。
【０１１９】
なお、分割蓄積の親の管理情報には、実際のデータは存在せず、子の管理情報を管理するために存在する。
【０１２０】
また、子フォームにより、登録されている文書が削除された場合は、管理データＩＤ２４１０の項目に登録されている管理データＩＤ、親データＩＤ２４１６の項目に登録されている親データＩＤ、および分割番号２４１７の項目に登録されている分割番号は削除されず、蓄積データが削除される。そのため、例えば管理データＩＤ＝０００９に示す例の如く、ユーザ名２４１１の項目、ドキュメント名２４１２の項目、日時２４１３の項目のそれぞれは未登録状態となる。
【０１２１】
図７に示す例では、分割番号２４１７の項目に登録される分割番号が分割情報を示し、ユーザ名２４１１、ドキュメント名２４１２、および日時２４１３の各項目に登録される情報が、蓄積状況情報を示す。
【０１２２】
次に、画像形成装置２００による分割蓄積処理の登録に関する登録処理（フォーム印刷処理）について、図８を参照して説明する。
【０１２３】
蓄積データ管理者は、画像形成装置２００の操作／表示部２７０を操作して、メニュー形式で提示される設定欄に対して、源原稿（分割原稿）にかかわるデータの蓄積先、源原稿の分割数、源原稿（分割部分に属する原稿）にかかわるデータがすべて蓄積された場合の当該データの自動印刷の有無、などを設定する。これら設定された蓄積先、分割数、自動印刷の有無などの各情報は、操作／表示部２７０から制御部２２０へ与えられる。
【０１２４】
画像形成装置２００では、制御部２２０は、操作／表示部２７０からの分割蓄積処理の登録の設定内容（蓄積先、分割数、自動印刷の有無など）を受け付け、分割蓄積処理の登録処理を実行する（ステップＳ１０１）。
【０１２５】
このステップＳ１０１の登録処理においては、制御部２２０は、親フォーム（分割蓄積管理フォーム）、受け付けた設定内容に含まれる分割数（分割したいジョブ数）に応じた数の子フォーム（分割蓄積登録フォーム）をそれぞれ作成し、これら親フォームおよび子フォームに関し、管理情報記憶部２４０内の蓄積情報管理テーブル２４００に、親の管理情報と分割数に応じた数の子の管理情報とを登録する。
【０１２６】
次に、制御部２２０が、親フォーム（分割蓄積管理フォーム）、分割数に応じた数の子フォームの各データを画像処理部２５０へ出力すると、画像処理部２５０は、親フォームおよび分割数分の子フォームのデータのそれぞれに対し画像処理（ページ単位のラスタデータの生成処理など）を実施し、この画像処理後のデータを印刷処理部２６０へ出力する。
【０１２７】
そして、印刷処理部２６０は、画像処理部２５０からのデータ（ページ単位のラスタデータ）に基づき、親フォームと分割数分の子フォームとを印刷し、印刷物（様式原稿）として出力する（ステップＳ１０２）。
【０１２８】
次に、画像入力装置による分割蓄積登録処理について、図９を参照して説明する。
【０１２９】
ユーザが、先頭に子フォームと該子フォームに後続して分割部分とを組にして、画像入力装置１００＃１の図示しないＡＤＦ（自動原稿送り装置）にセットし、操作／表示部１６０の入力部を操作してスキャン開始の指示を行うと、画像入力装置１００＃１では、画像読取部１３０は、図９に示すように、子フォームおよび分割部分に属する原稿のスキャン処理を実行して画像情報を読み取り、この読み取りの結果に応じた画像データを制御部１２０へ出力する（ステップＳ２０１）。
【０１３０】
制御部１２０が画像読取部１３０からの画像データを画像解析部１４０へ出力すると、画像解析部１４０は、前記画像データの解析処理を実行し（ステップＳ２０２）、この実行の結果を制御部１２０へ出力する。
【０１３１】
制御部１２０は、画像解析部１４０からの解析の結果を基に、先頭（１ページ目）の原稿に対応するデータが、親フォーム（分割蓄積管理フォーム）、あるいは子フォーム（分割蓄積登録フォーム）の分割蓄積処理のフォームであるか否かを判断する（ステップＳ２０３）。
【０１３２】
ここで、先頭（１ページ目）の原稿に対応するデータの中に親フォームでの「管理コードの項目」の管理コードあるいは子フォームでの「管理コードの項目」の管理コードが含まれている場合に、当該データは、分割蓄積処理のフォーム（親フォームあるいは子フォーム）であると判断される。
【０１３３】
制御部１２０は、ステップＳ２０３において、分割蓄積処理のフォーム（親フォームあるいは子フォーム）であると判断した場合は、当該フォーム中の「管理コードの項目」の管理コード、および「処理の項目」に対応するチェックボックスがマーク形式で塗り潰されることにより指定されている特定の処理を確認する（ステップＳ２０４）。
【０１３４】
次に、制御部１２０は、当該フォーム中の「管理コードの項目」の管理コードを基に当該フォームが親フォームであるか否かを判断し（ステップＳ２０５）、この判断した結果、親フォームではない場合（子フォームである場合）には、分割蓄積登録に関する処理を実行し（ステップＳ２０６）、これに対し、親フォームである場合は、分割蓄積印刷および分割蓄積管理に関する処理を実行する（ステップＳ２０７）。
【０１３５】
制御部１２０は、ステップＳ２０３において、分割蓄積処理のフォーム（親フォームあるいは子フォーム）ではないと判断した場合は、通常のスキャン処理を実行する（ステップＳ２０８）。
【０１３６】
次に、画像形成装置による分割蓄積処理および分割蓄積管理処理について、図１０を参照して説明する。
【０１３７】
画像形成装置２００では、制御部２２０は、通信回線２１０を介して画像入力装置からのデータを取得した場合（ステップＳ３０１）、この取得したデータに親フォーム５００の「管理コード５４０の項目」に設定されている管理コードが含まれているか否かに応じて、前記取得したデータは親フォーム５００の要求であるか否かを判断する（ステップＳ３０２）。
【０１３８】
制御部２２０は、ステップＳ３０２において、上記取得したデータに親フォーム５００の「管理コード５４０の項目」に設定されている管理コードが含まれているので、親フォーム５００の要求であると判断した場合は、親フォーム５００の「処理５３０の項目」で指定されている処理を実行し（ステップＳ３０３）、その後、この処理を終了する。
【０１３９】
制御部２２０は、ステップＳ３０２において親フォーム５００の要求ではないと判断した場合は、上記取得したデータに子フォーム６００の「管理コード６４０の項目」に設定されている管理コードが含まれているか否かに応じて、子フォーム６００の要求であるか否かを判断する（ステップＳ３０４）。
【０１４０】
制御部２２０は、ステップＳ３０４において、上記取得したデータに子フォーム６００の「管理コード６４０の項目」に設定されている管理コードが含まれているので、子フォーム６００の要求であると判断した場合は、子フォーム６００の「処理６３０の項目」で指定されている処理を実行し（ステップＳ３０５）、その後、この処理を終了する。
【０１４１】
制御部２２０は、ステップＳ３０４において、上記取得したデータに子フォーム６００の「管理コード６４０の項目」に設定されている管理コードが含まれていないので、子フォーム６００の要求ではないと判断した場合、すなわち親フォームおよび子フォームでないと判断した場合は、通常の処理を実行し（ステップＳ３０６）、その後、この処理を終了する。
【０１４２】
次に、画像形成システム１の分割蓄積登録処理について、図１１から図１４を参照して具体的に説明する。
【０１４３】
ここでは、図１１において、画像形成装置２００（プリンタ）で分割蓄積処理を登録し、画像入力装置１００＃１（スキャナ１）、画像入力装置１００＃２（スキャナ２）、画像入力装置１００＃３（スキャナ３）で分割蓄積登録を行う場合の処理について説明する。
【０１４４】
なお、ジョブ（複数枚の源原稿）の分割数（ジョブ分割数）は「３」、画像形成装置２００は「起動中」、自動印刷は「Ｏｆｆ」、子フォームによる追加は「なし」、蓄積先は「画像形成装置」の条件で処理するものとする。
【０１４５】
蓄積データ管理者は、分割蓄積処理を行なうために、画像形成装置２００の操作／表示部２７０を操作して、分割蓄積処理を登録するためのメニューを表示させ、このメニューに対し分割蓄積処理の登録を行う（図１１のＰ１１参照）。
【０１４６】
具体的には、蓄積データ管理者は、図１２に示しように、操作／表示部２７０の表示部に表示されるメニューの中から「分割蓄積処理」の項目（選択肢）を選択し（Ｓ１０１１参照）、その後、次の分割蓄積処理のメニューの蓄積先の設定欄に、蓄積先として画像形成装置（プリンタ）を入力し（Ｓ１０１２参照）、次の分割蓄積処理のメニューの分割数入力の設定欄に、分割数として「３」を入力する（Ｓ１０１３参照）。
【０１４７】
次に、蓄積データ管理者は、次の分割蓄積処理のメニューの自動印刷の設定欄における「する（Ｏｎ）」および「しない（Ｏｆｆ）」の中から「しない（Ｏｆｆ）」を選択し（Ｓ１０１４参照）、最後に、次の分割蓄積処理のメニューの「登録しますか？」の設定欄における「登録する（Ｙｅｓ）」および「登録しない（Ｎｏ）」の中から「登録する（Ｙｅｓ）」を選択する（Ｓ１０１５参照）。
【０１４８】
上述したようにしてメニューに対して設定された情報は操作／表示部２７０から制御部２２０に与えられる。
【０１４９】
さて、画像形成装置２００では、操作／表示部２７０からの情報（分割数＝３、蓄積先＝画像形成装置２００、自動印刷＝Ｏｆｆ、登録する）を取得した制御部２２０は、管理情報記憶部２４０の蓄積情報管理テーブル２４００に、親の管理情報と、分割する分割数（ジョブ数）に応じた数の子の管理情報とを登録する（図１１のＰ１２参照）。
【０１５０】
この例では、親の管理情報は一つであり、分割数「３」に応じた子の管理情報は３つである。
【０１５１】
ここで、分割蓄積処理による親の管理情報および子の管理情報の登録が行われる前の蓄積情報管理テーブル２４００が、図１３（ａ）に示す登録内容であるとする。この蓄積情報管理テーブル２４００に対し、分割蓄積処理による親の管理情報と子の管理情報が登録される（親の蓄積情報と子の蓄積情報が登録される）。これにより、図１３（ａ）に示す蓄積情報管理テーブル２４００は、図１３（ｂ）に示す蓄積情報管理テーブル２４００に変更されることとなる。なお、分割蓄積処理の登録を実行した直後、管理データＩＤ、親データＩＤ、分割番号が登録されるものの、子のデータが存在しないため、ユーザ名、ドキュメント名、日時については空の情報のみを登録される（未登録状態となる）。
【０１５２】
再度、図１１を参照して説明する。制御部１２０は、親に対応する親フォームおよび分割数（ジョブ分割数）に応じた数の子フォームを生成するとともに、この生成したデータとしての親フォームおよび複数の子フォームを画像処理部２５０に出力する。画像処理部２５０は、取得したデータとしての親フォームおよび複数の子フォームを基に、ページ単位のラスタデータ（ページデータ）を生成する画像処理を実施し、画像処理後のデータ（ページ単位のラスタデータ）を印刷処理部１６０へ出力する。
【０１５３】
印刷処理部２６０は、画像処理部２５０からのページ単位のラスタデータを基に、親フォームと分割数（ジョブ分割数）に応じた数（この例では３枚）の子フォームを印刷し、印刷物（様式原稿）として出力する（図１１のＰ１３参照）。
【０１５４】
様式原稿としての１枚の親フォームＦ０と３枚の子フォームＦ１，Ｆ２，Ｆ３のうち、親フォームＦ０は、蓄積データ管理者が保管する（図１１のＰ１４参照）。親フォームＦ０は図５に示す親フォーム５００と同様の構成になっており、また３枚の子フォームＦ１，Ｆ２，Ｆ３は図６に示す子フォーム６００と同様の構成になっている。なお、分割番号５２０、分割番号６２０の各項目には、分割数「３」に対する該当する番号（例えば１／３）の分割番号が設定されている。
【０１５５】
蓄積データ管理者は、分割したいジョブ単位（分割部分）に子フォームＦ１，Ｆ２，Ｆ３を分ける（図１１のＰ１５参照）。この場合、複数の担当者に子フォームを分けることで、作業が分担される。
【０１５６】
各担当者は、図１４に示すように、各子フォームＦ１，Ｆ２，Ｆ３の「処理６２０の項目」の「新規」のチェックボックスをマーク形式で塗り潰すことにより、「新規」の処理を指定する。
【０１５７】
そして、各担当者は、このようにして「新規」の処理を指定した各子フォームＦ１，Ｆ２，Ｆ３を、分割部分の先頭に位置するようにして各画像入力装置の図示しないＡＤＦ（自動原稿送り装置）にセットする。すなわち、子フォーム毎に、先頭に位置する子フォームとこの子フォームに後続する分割部分との組が、画像入力装置の図示しないＡＤＦ（自動原稿送り装置）にセットされる（図１１のＰ１６参照）。
【０１５８】
この例では、３つの子フォームＦ１，Ｆ２，Ｆ３に対応する３つの分割部分、つまり子フォームと分割部分とを有する３つの組のそれぞれを異なる画像入力装置に読み込ませるようにしているが、前記３つの組を同一の画像入力装置に読み込ませるようにしてもよい。
【０１５９】
各画像入力装置１００＃１，１００＃２，１００＃３では、画像読取部１３０は、子フォームおよび分割部分に属する原稿のスキャン処理を実行して画像情報を読み取り、この読み取りの結果に応じた画像データを制御部１２０へ出力する。
【０１６０】
制御部１２０が画像読取部１３０からの画像データを画像解析部１４０へ出力すると、画像解析部１４０は、前記画像データの解析処理を実行し、この実行の結果を制御部１２０へ出力する。
【０１６１】
制御部１２０は、画像解析部１４０からの解析の結果を基に、先頭（１ページ目）の原稿に対応するデータの中に子フォームの「管理コード６４０の項目」に設定されている管理コードが含まれていることを認識し、当該管理コードを解読し、通信部１１０を介して、該子フォームの「蓄積先の項目」に設定されている蓄積先としての画像形成装置２００に対し、子フォーム（様式原稿）および分割部分に属する原稿にかかわる原稿データ（画像データ）を送信する（図１１のＰ１７参照）。
【０１６２】
各画像入力装置１００＃１，１００＃２，１００＃３から送信されたデータを受信した画像形成装置２００では、制御部２２０は、通信部２１０を介して取得したデータつまり子フォーム（様式原稿）および分割部分に属する原稿にかかわる原稿データのうち、分割部分に属する原稿にかかわる原稿データを蓄積部２３０に格納するとともに、管理情報記憶部２４０内の蓄積情報管理テーブル２４００を更新する（図１１のＰ１８参照）。
【０１６３】
これにより、各子（子フォームＦ１，Ｆ２，Ｆ３）の蓄積情報（ユーザ名、ドキュメント名、日時）が蓄積情報管理テーブル２４００に登録されるので、図１３（ｂ）に示す蓄積情報管理テーブル２４００は、図１５に示す蓄積情報管理テーブル２４００に変更されることとなる。
【０１６４】
なお、図１５に示す例では、蓄積情報管理テーブル２４００において、今回の子フォームにかかわる親（親フォーム）の管理情報における自動印刷の項目に「Ｏｆｆ」が登録されているので、分割されたジョブ（分割部分）が全て蓄積されたとしても、印刷処理は実施されない。しかし、自動印刷の項目に「Ｏｎ」が登録されている場合は、分割されたジョブ（分割部分）が全て蓄積された時点で、ユーザの印刷開始指示が無くとも、印刷処理部２６０によって印刷処理が実施される（自動で印刷される）。
【０１６５】
以上の処理で、画像形成システム１による蓄積処理が完了したことなる。
【０１６６】
第１の実施の形態では、画像形成装置をプリンタとし、画像入力装置をスキャナとしているが、これに限定されることなく、印刷機能、スキャン機能、コピー機能など複数の画像形成機能を有する複合機を含めた構成や、複数の複合機のみの構成としてもよい。また、データの蓄積先として情報処理装置３００としてもよい。
【０１６７】
（第２の実施の形態）
【０１６８】
次に、第２の実施の形態に係る画像形成システムについて説明する。
【０１６９】
この画像形成システムは、図１に示した第１の実施の形態の画像形成システムと同様の構成になっている。また、画像入力装置および画像形成装置は、図３および図４に示した第１の実施の形態の画像入力装置および画像形成装置と同様の機能構成になっている。
【０１７０】
次に、画像形成システム１の分割蓄積登録処理について、図１５および図１６を参照して説明する。
【０１７１】
ここでは、図１１において、画像形成装置２００（プリンタ）で分割蓄積処理を登録し、画像入力装置１００＃１（スキャナ１）、画像入力装置１００＃２（スキャナ２）、画像入力装置１００＃３（スキャナ３）で分割蓄積登録を行う場合の処理について説明する。
【０１７２】
なお、ジョブ（複数枚の源原稿）の分割数（ジョブ分割数）は「３」、画像形成装置２００は「起動中」、自動印刷は「Ｏｆｆ」、子フォームによる追加は「あり（子フォームＦ２による追加）」、蓄積先は「画像形成装置」の条件で処理するものとする。
【０１７３】
すなわち、上述した第１の実施の形態で図１１を参照して説明した分割蓄積登録処理が終了した後に、子フォームＦ２による追加の分割部分（原稿）の読み込みにより追加のデータ（原稿データ）を蓄積部２３０に蓄積する場合の分割蓄積登録処理について説明する。
【０１７４】
最初に、上述した第１の実施の形態の分割蓄積登録処理（図１１のＰ１１〜Ｐ１８参照）と同様の処理が行われる（図１６のＰ１１〜Ｐ１８参照）。なお、この場合、蓄積データ管理者は、分割部分に属する原稿の「新規」、「追加」または「削除」の処理を指定するために、子フォームＦ１，Ｆ２，Ｆ３のそれぞれに関して、画像形成装置２００にて複数部（複数枚）を複写（コピー）するようにする。
【０１７５】
蓄積データ管理者または担当者は、フォームＦ２の「処理６２０の項目」の「追加」のチェックボックスをマーク形式で塗り潰すことにより、「追加」の処理を指定する。
【０１７６】
そして、担当者は、このようにして「追加」の処理を指定した子フォームＦ２を、分割部分の先頭に位置するようにして画像入力装置１００＃２の図示しないＡＤＦ（自動原稿送り装置）にセットする。すなわち、先頭に位置する子フォームＦ２とこの子フォームＦ２に後続する追加の分割部分（原稿）との組が、画像入力装置１００＃２の図示しないＡＤＦ（自動原稿送り装置）にセットされる（図１６のＰ２１参照）。
【０１７７】
この例では、子フォームＦ２に対応する追加の分割部分（原稿）を画像入力装置１００＃２に読み込ませるようにしているが、前記追加の分割部分は３つの画像入力装置のうち何れかの画像入力装置に読み込ませるようにすればよい。
【０１７８】
画像入力装置１００＃２では、画像読取部１３０は、子フォームＦ２および分割部分に属する原稿のスキャン処理を実行して画像情報を読み取り、この読み取りの結果に応じた画像データを制御部１２０へ出力する。
【０１７９】
制御部１２０が画像読取部１３０からの画像データを画像解析部１４０へ出力すると、画像解析部１４０は、前記画像データの解析処理を実行し、この実行の結果を制御部１２０へ出力する。
【０１８０】
制御部１２０は、画像解析部１４０からの解析の結果を基に、先頭（１ページ目）の原稿に対応するデータの中に子フォームＦ２での「管理コードの項目」の管理コードが含まれていると認識（解読）し、通信部１１０を介して、該子フォームＦ２の「蓄積先の項目」に設定されている蓄積先としての画像形成装置２００に対し、子フォームＦ２および追加の分割部分に属する原稿にかかわる原稿データ（画像データ）を送信する（図１６のＰ２２参照）。
【０１８１】
画像入力装置１００＃２から送信されたデータを受信した画像形成装置２００では、制御部２２０は、通信部２１０を介して取得したデータつまり子フォームＦ２および追加の分割部分に属する原稿にかかわる原稿データのうち、追加の分割部分に属する原稿にかかわる原稿データを蓄積部２３０に格納するとともに、管理情報記憶部２４０内の蓄積情報管理テーブル２４００を更新する（図１６のＰ２３参照）。
【０１８２】
これにより、図１５に示す蓄積情報管理テーブル２４００は、図１７に示す蓄積情報管理テーブル２４００に変更されることとなる。なお、図１７に示す例では、追加のデータに関する管理情報は蓄積情報管理テーブル２４００の最後に追加されるが、子フォームＦ１から子フォームＦ３に対応するデータの印刷順番は次のようになる。
【０１８３】
すなわち、（１）「子フォームＦ１によるデータ」、（２）「子フォームＦ２によるデータ」、（３）「子フォームＦ２による追加のデータ」、（４）「子フォームＦ３によるデータ」の順番に印刷される。
【０１８４】
（第３の実施の形態）
【０１８５】
次に、第３の実施の形態に係る画像形成システムについて説明する。
【０１８６】
この画像形成システムは、図１に示した第１の実施の形態の画像形成システムと同様の構成になっている。また、画像入力装置および画像形成装置は、図３および図４に示した第１の実施の形態の画像入力装置および画像形成装置と同様の機能構成になっている。
【０１８７】
次に、画像形成システム１の分割蓄積登録処理について、図１８を参照して説明する。
【０１８８】
ここでは、図１８において、画像形成装置２００（プリンタ）で分割蓄積処理を登録し、画像入力装置１００＃１（スキャナ１）、画像入力装置１００＃２（スキャナ）、画像入力装置１００＃３（スキャナ３）で分割蓄積登録を行う場合の処理について説明する。
【０１８９】
なお、ジョブ（複数枚の源原稿）の分割数（ジョブ分割数）は「３」、画像形成装置２００は「起動中」、自動印刷は「Ｏｆｆ」、子フォームによる追加は「なし」、蓄積先は「情報処理装置（情報処理装置３００）」の条件で処理するものとする。
【０１９０】
また、情報処理装置３００は、画像形成装置２００の制御部２２０、蓄積部２３０および管理情報記憶部２４０の各機能を有する制御部３１０、蓄積部３２０および管理情報記憶部３３０を有している。
【０１９１】
蓄積データ管理者は、分割蓄積処理を行なうために、画像形成装置２００の操作／表示部２７０を操作して、分割蓄積処理を登録するためのメニューを表示させ、このメニューに対し分割蓄積処理の登録を行う（図１８のＰ３１参照）。この場合、蓄積データ管理者は、図１２に示した例のＳ１０１２において、次の分割蓄積処理のメニューの蓄積先の設定欄に、蓄積先として情報処理装置を入力することになる。
【０１９２】
画像形成装置２００では、操作／表示部２７０からの情報（分割数＝３、蓄積先＝情報処理装置３００、自動印刷＝Ｏｆｆ、登録する）を取得した制御部２２０は、蓄積先の情報処理装置３００に対し、分割蓄積処理が登録されたことを通知（操作／表示部２７０から取得した情報を通知）する。
【０１９３】
情報処理装置３００では、制御部３１０は、管理情報記憶部３３０の蓄積情報管理テーブル２４００に、親の管理情報と、分割する分割数（ジョブ数）に応じた数の子の管理情報とを登録する（図８１のＰ３２参照）。
【０１９４】
この例では、親の管理情報は一つであり、分割数「３」に応じた子の管理情報は３つである。
【０１９５】
ここで、分割蓄積処理による親の管理情報および子の管理情報の登録が行われる前の蓄積情報管理テーブル２４００が、図１３（ａ）に示す登録内容であるとする。この蓄積情報管理テーブル２４００に対し、分割蓄積処理による親の管理情報と子の管理情報が登録される（親の蓄積情報と子の蓄積情報が登録される）。これにより、図１３（ａ）に示す蓄積情報管理テーブル２４００は、図１３（ｂ）に示す蓄積情報管理テーブル２４００に変更されることとなる。なお、分割蓄積処理の登録を実行した直後、管理データＩＤ、親データＩＤ、分割番号が登録されるものの、子のデータが存在しないため、ユーザ名、ドキュメント名、日時については空の情報のみを登録される（未登録状態となる）。
【０１９６】
さて、画像形成装置２００では、制御部１２０は、親に対応する親フォームおよび分割数（ジョブ分割数）に応じた数の子フォームを生成するとともに、この生成したデータとしての親フォームおよび複数の子フォームを画像処理部２５０に出力する。画像処理部２５０は、生成したデータとしての親フォームおよび複数の子フォームを基に、ページ単位のラスタデータ（ページデータ）を生成する画像処理を実施し、画像処理後のデータ（ページ単位のラスタデータ）を印刷処理部１６０へ出力する。
【０１９７】
印刷出力処理部２６０は、画像処理部２５０からのページ単位のラスタデータを基に、親フォームと分割数（ジョブ分割数）に応じた数（この例では３枚）の子フォームを印刷し、印刷物（様式原稿）として出力する（図１８のＰ３３参照）。
【０１９８】
様式原稿としての１枚の親フォームＦ０と３枚の子フォームＦ１，Ｆ２，Ｆ３のうち、親フォームＦ０は、蓄積データ管理者が保管する（図１８のＰ３４参照）。
【０１９９】
親フォームＦ０は図５に示す親フォーム５００と同様の構成になっており、また３枚の子フォームＦ１，Ｆ２，Ｆ３は図６に示す子フォーム６００と同様の構成になっている。なお、分割番号５２０、分割番号６２０の各項目には、分割数「３」に対する該当する番号（例えば１／３）の分割番号が設定されている。
【０２００】
蓄積データ管理者は、分割したいジョブ単位（分割部分）に子フォームＦ１，Ｆ２，Ｆ３を分ける（図１８のＰ３５参照）。この場合、複数の担当者に子フォームを分けることで、作業が分担される。
【０２０１】
各担当者は、図１４に示したように、各子フォームＦ１，Ｆ２，Ｆ３の「処理６２０の項目」の「新規」のチェックボックスをマーク形式で塗り潰すことにより、「新規」の処理を指定する。
【０２０２】
そして、各担当者は、このようにして「新規」の処理を指定した各子フォームＦ１，Ｆ２，Ｆ３を、分割部分の先頭に位置するようにして各画像入力装置の図示しないＡＤＦ（自動原稿送り装置）にセットする。すなわち、子フォーム毎に、先頭に位置する子フォームとこの子フォームに後続する分割部分との組が、画像入力装置の図示しないＡＤＦ（自動原稿送り装置）にセットされる（図１８のＰ３６参照）。
【０２０３】
この例では、３つの子フォームＦ１，Ｆ２，Ｆ３に対応する３つの分割部分、つまり子フォームと分割部分とを有する３つの組のそれぞれを異なる画像入力装置に読み込ませるようにしているが、前記３つの組を同一の画像入力装置に読み込ませるようにしてもよい。
【０２０４】
各画像入力装置１００＃１，１００＃２，１００＃３では、画像読取部１３０は、子フォームおよび分割部分に属する原稿のスキャン処理を実行して画像情報を読み取り、この読み取りの結果に応じた画像データを制御部１２０へ出力する。
【０２０５】
制御部１２０が画像読取部１３０からの画像データを画像解析部１４０へ出力すると、画像解析部１４０は、前記画像データの解析処理を実行し、この実行の結果を制御部１２０へ出力する。
【０２０６】
制御部１２０は、画像解析部１４０からの解析の結果を基に、先頭（１ページ目）の原稿に対応するデータの中に子フォームでの「管理コードの項目」の管理コードが含まれていると認識（解読）するとともに、画像形成装置２００に対し、通信部２１０を介して、子フォーム（様式原稿）および分割部分に属する原稿にかかわる原稿データ（画像データ）の印刷要求を、上記子フォームの「蓄積先の項目」に設定されている蓄積先としての情報処理装置３００に送信するよう依頼する（図１８のＰ３７参照）。
【０２０７】
各画像入力装置１００＃１，１００＃２，１００＃３から送信されたデータを受信した画像形成装置２００では、制御部２２０は、通信部２１０を介して取得したデータつまり子フォーム（様式原稿）および分割部分に属する原稿にかかわる原稿データを、通信部２１０を介して、蓄積先である情報処理装置３００に向けて送信する（図１８のＰ３８参照）。
【０２０８】
情報処理装置３００では、制御部３１０は、画像形成装置２００から取得した子フォーム（様式原稿）および分割部分に属する原稿にかかわる原稿データのうち、分割部分に属する原稿にかかわる原稿データを蓄積部３２０に格納するとともに、管理情報記憶部３３０内の蓄積情報管理テーブル２４００を更新する（図１８のＰ３９参照）。
【０２０９】
これにより、各子（子フォームＦ１，Ｆ２，Ｆ３）の蓄積情報（ユーザ名、ドキュメント名、日時）が蓄積情報管理テーブル２４００に登録されるので、図１３（ｂ）に示す蓄積情報管理テーブル２４００は、図１５に示す蓄積情報管理テーブル２４００に変更されることとなる。
【０２１０】
以上の処理で、画像形成システム１による蓄積処理が完了したことなる。
【０２１１】
（第４の実施の形態）
【０２１２】
次に、第４の実施の形態に係る画像形成システムについて説明する。
【０２１３】
この画像形成システムは、図１に示した第１の実施の形態の画像形成システムと同様の構成になっている。また、画像入力装置は、図３に示した第１の実施の形態の画像入力装置と同様の機能構成になっている。さらに、画像形成装置は、図４に示した第１の実施の形態の画像形成装置の制御部２２０が図１９に示す制御部２２０に変更された機能構成になっている。
【０２１４】
図１９において、制御部２２０は、図４に示したデータ取得部２２１に加えて、要求取得部２２２および読出部２２３を有している。
【０２１５】
要求取得部２２２は、要求取得手段の機能を有し、通信部２１０を介して、複数枚の源原稿にかかわる画像データの印刷要求を画像処理装置としての画像入力装置から取得する。この場合、要求取得部２２２は、上記印刷要求とともに送信される親フォームにかかわる画像データを取得する。
【０２１６】
読出部２２３は、読出手段の機能を有し、要求取得手部２２２が上記印刷要求を取得したときは、親フォームにかかわる画像データの解読の結果に基づき、蓄積部２３０から複数枚の源原稿を示す情報に対応する複数の分割部分のそれぞれに属する原稿データ（画像データ）を読み出す。
【０２１７】
次に、画像形成システムの蓄積データ印刷処理（全文書印刷）について、図２０を参照して説明する。
【０２１８】
ここでは、画像形成装置２００（プリンタ）に対し、データが蓄積されている状態で親フォームにて「全文書印刷」を行う場合の例について説明する。
【０２１９】
蓄積データ管理者は、図２１に示すように、親フォームＦ０の「処理５３０の項目」の「全文書印刷」のチェックボックスをマーク形式で塗り潰すことにより、「全文書印刷」の処理を指定する（図２０のＰ４１参照）。
【０２２０】
そして、蓄積データ管理者は、このようにして「全文書印刷」の処理を指定した親フォームＦ０を画像入力装置１００＃１の図示しないＡＤＦ（自動原稿送り装置）にセットする（図２０のＰ４２参照）。
【０２２１】
この例では、画像入力装置１００＃１に親フォームＦ０を読み込ませるようにしているが、これに限定されることなく、画像入力装置１００＃１，１００＃２，１００＃３のうち何れかの画像入力装置を使用すればよい。
【０２２２】
画像入力装置１００＃１では、画像読取部１３０は、親フォームＦ０のスキャン処理を実行して画像情報を読み取り、この読み取りの結果に応じた画像データを制御部１２０へ出力する。制御部１２０が画像読取部１３０からの画像データを画像解析部１４０へ出力すると、画像解析部１４０は、前記画像データの解析処理を実行し、この実行の結果を制御部１２０へ出力する。
【０２２３】
制御部１２０は、画像解析部１４０からの解析の結果を基に、親フォームＦ０の「管理コード５４０の項目」に設定されている管理コードを解読して蓄積情報を取得し、この蓄積情報に含まれている蓄積先として指定されている画像形成装置２００に対し、通信部１１０を介して、「管理コード５４０の項目」に設定されている管理コードおよび「処理５３０の項目」に指定されている「全文書印刷」の処理情報を送信し、蓄積データの印刷要求を行う（図２０のＰ４３参照）。
【０２２４】
画像形成装置２００では、制御部２２０の読出部２２３は、画像入力装置１００＃１からの送信情報（管理コードおよび全文書印刷）を取得した場合に、取得した管理コードをキーとして管理情報記憶部２４０内の蓄積情報管理テーブル２４００の情報を検索（参照）する（図２０のＰ４４参照）。
【０２２５】
次に、制御部２２０では、読出部２２３は、管理コード２４１９の項目に設定されている管理コードの中の上記取得した管理コードと一致する管理コードに対応する管理情報（一致する管理コードを含む行の情報）に基づき、蓄積部２３０から蓄積データを取得する（図２０のＰ４５参照）。
【０２２６】
具体的は、蓄積情報管理テーブル２４００が図１５に示す内容であるとした場合、制御部２２０は、親フォームＦ０の「管理コード５４０の項目」に設定されている管理コード「ＡＢ−１２３−１１１１１−０００」をキーとして蓄積情報管理テーブル２４００（の管理コード２４１９の項目）を検索したときは、管理コード２４１９の項目に登録されている管理コード「ＡＢ１２３１１１１１０００」が一致する管理コードであると認識する。
【０２２７】
次に、制御部２２０は、管理コード「ＡＢ１２３１１１１１０００」に対応する管理データＩＤ２４１０の項目に登録されている管理データＩＤは「００００２」であると認識するとともに、この管理データＩＤ「００００２」をキーとして親データＩＤ２４１６の項目を検索し、管理データＩＤ「００００２」と一致する親データＩＤ「００００２」を認識する。
【０２２８】
さらに、制御部２２０（の読出部２２３）は、上記一致した親データＩＤ「００００２」により管理されている子の蓄積情報に基づく複数の分割部分（この例では３つの分割部分）に属する原稿にかかわる原稿データ（蓄積データ）を、蓄積部２３０から取得する（読み出す）。
【０２２９】
そして、制御部２２０が上述したようにして取得した複数の分割部分にかかわる原稿データを画像処理部２５０へ出力すると、画像処理部２５０は、取得した原稿データを基に、ページ単位のラスタデータ（ページデータ）を生成する画像処理を実施し、画像処理後のデータ（ページ単位のラスタデータ）を印刷処理部１６０へ出力する。
【０２３０】
印刷処理部２６０は、画像処理部２５０からのページ単位のラスタデータを基に、複数の分割部分にかかわる原稿データ（蓄積データ）を１文書として印刷し、印刷物として出力する（図２０のＰ４６参照）。
【０２３１】
（第５の実施の形態）
【０２３２】
次に、第５の実施の形態に係る画像形成システムについて説明する。
【０２３３】
この画像形成システムは、図１に示した第１の実施の形態の画像形成システムと同様の構成になっている。
【０２３４】
また、画像形成装置は、第４の実施の形態の画像形成装置と同様の機能構成になっている。つまり画像形成装置は、図４に示した第１の実施の形態の画像形成装置の制御部２２０が図１９に示す制御部２２０に変更された機能構成になっている。
【０２３５】
さらに、画像入力装置は、図３に示した第１の実施の形態の画像入力装置の制御部１２０が図２２に示す制御部１２０に変更された機能構成になっている。
【０２３６】
図２２において、制御部１２０は、部分情報要求部１２１、取得部１２２、処理部１２３、および一部印刷要求部１２４を有している。
【０２３７】
部分情報要求部１２１は、部分情報要求手段の機能を有し、親フォームＦ０の「処理５２０の項目」に指定されている処理情報が源原稿にかかわる画像データの一部についての印刷処理を示している場合（指定されている処理が「一部文書印刷」の場合）に、蓄積先に対し、蓄積されている源原稿にかかわる複数の部分（分割部分）のそれぞれを示す部分情報（分割番号）を要求する。
【０２３８】
取得部１２２は、取得手段の機能を有し、上記要求に対する蓄積先からの複数の部分（分割部分）に対応する複数の部分情報（分割番号）を取得する。
【０２３９】
処理部１２３は、処理手段の機能を有し、取得部１２２が取得した複数の部分情報（分割番号）の一覧を操作／表示部１６０の表示部に表示させるとともに、操作／表示部１６０に表示された一覧の中から操作／表示部１６０の入力部（選択部）によって選択された少なくとも一つの選択肢の部分情報（分割番号）を認識する。
【０２４０】
一部印刷要求部１２４は、一部印刷要求手段の機能を有し、蓄積先に対し、処理部１２３が認識した部分情報（分割番号）に対応する部分（分割部分）に属する原稿にかかわる原稿データ（蓄積データ）の印刷を要求する。
【０２４１】
次に、画像形成システムの蓄積データ印刷処理（一部文書印刷）について、図２３を参照して説明する。
【０２４２】
ここでは、画像形成装置２００（プリンタ）に対し、データが蓄積されている状態で親フォームにて「一部文書印刷」を行う場合の例について説明する。
【０２４３】
蓄積データ管理者は、親フォームＦ０の「処理５３０の項目」の「一部文書印刷」のチェックボックスをマーク形式で塗り潰すことにより、「一部文書印刷」の処理を指定する（図２３のＰ５１参照）。
【０２４４】
そして、蓄積データ管理者は、このようにして「一部文書印刷」の処理を指定した親フォームＦ０を画像入力装置１００＃１の図示しないＡＤＦ（自動原稿送り装置）にセットする（図２３のＰ５２参照）。
【０２４５】
この例では、画像入力装置１００＃１に親フォームＦ０を読み込ませるようにしているが、これに限定されることなく、画像入力装置１００＃１，１００＃２，１００＃３のうち何れかの画像入力装置を使用すればよい。
【０２４６】
画像入力装置１００＃１では、画像読取部１３０は、親フォームＦ０のスキャン処理を実行して画像情報を読み取り、この読み取りの結果に応じた画像データを制御部１２０へ出力する。制御部１２０が画像読取部１３０からの画像データを画像解析部１４０へ出力すると、画像解析部１４０は、前記画像データの解析処理を実行し、この実行の結果を制御部１２０へ出力する。
【０２４７】
制御部１２０（の部分情報要求部１２１）は、画像解析部１４０からの解析の結果を基に、親フォームＦ０の「管理コード５４０の項目」に設定されている管理コードを解読して蓄積情報を取得し、この蓄積情報に含まれている蓄積先として指定されている画像形成装置２００に対し、通信部１１０を介して、蓄積されている源原稿にかかわる複数の部分（分割部分）のそれぞれを示す部分情報（分割番号）を要求する（図２３のＰ５３参照）。
【０２４８】
この場合、部分情報要求部１２１は、「処理５３０の項目」に「一部文書印刷」の処理が指定されているので、上記部分情報（分割番号）を要求することになる。
【０２４９】
画像形成装置２００では、制御部２２０は、画像入力装置１００＃１からの送信情報（管理コードおよび部分情報（分割番号）の要求）を取得した場合に、取得した管理コードをキーとして管理情報記憶部２４０内の蓄積情報管理テーブル２４００の情報を検索（参照）する（図２３のＰ５４Ａ参照）。
【０２５０】
次に、制御部２２０は、蓄積情報管理テーブル２４００から、管理コード２４１９の項目に設定されている管理コードの中の上記取得した管理コードと一致する管理コードに対応する管理情報（一致する管理コードを含む行の情報）、具体的には分割蓄積の親情報および子情報を取得する（図２３のＰ５５Ａ参照）。
【０２５１】
具体的は、蓄積情報管理テーブル２４００が図１５に示す内容であるとした場合、制御部２２０は、親フォームＦ０の「管理コード５４０の項目」に設定されている管理コード「ＡＢ−１２３−１１１１１−０００」をキーとして蓄積情報管理テーブル２４００（の管理コード２４１９の項目）を検索したときは、管理コード２４１９の項目に登録されている管理コード「ＡＢ１２３１１１１１０００」が一致する管理コードであると認識する。
【０２５２】
次に、制御部２２０は、管理コード「ＡＢ１２３１１１１１０００」に対応する管理データＩＤ２４１０の項目に登録されている管理データＩＤは「００００２」であると認識するとともに、この管理データＩＤ「００００２」をキーとして親データＩＤ２４１６の項目を検索し、管理データＩＤ「００００２」と一致する親データＩＤ「００００２」を認識する。
【０２５３】
これにより、制御部２２０は、親情報としての親の分割番号「０」と、子情報としての複数（３つ）の子の分割番号「１」，「２」，「３」と、これらの管理コードとを取得することとなる。
【０２５４】
制御部２２０は、蓄積情報管理テーブル２４００から取得した情報（分割蓄積の親情報および子情報）を、画像入力装置１００＃１に向けて送信する（図２３のＰ５６参照）。
【０２５５】
画像入力装置１００＃１では、制御部１２０の取得部１２２は、通信部１１０を介して、上述した部分情報（分割番号）の要求に対する画像形成装置２００からの情報（分割蓄積の親情報および子情報）を取得した場合は、この情報（分割蓄積の親情報および子情報）を処理部１２３に渡す。
【０２５６】
制御部１２０の処理部１２３は、取得部１２２が取得した複数の部分情報（分割番号）の一覧をメニュー形式で操作／表示部１６０の表示部に表示させ、蓄積データ管理者に入力を促す（図２３のＰ５７参照）。
【０２５７】
例えば、操作／表示部１６０の表示部には、メニュー形式で子の分割番号「１」，「２」，「３」が表示される。
【０２５８】
次に、処理部１２３は、蓄積データ管理者による操作／表示部１６０の入力部（選択部）の操作により、操作／表示部１６０に表示された一覧の中から選択された少なくとも一つの選択肢の部分情報（分割番号）を認識する。
【０２５９】
例えば、処理部１２３は、操作／表示部１６０の表示部に表示された子の分割番号「１」，「２」，「３」の中から蓄積データ管理者によって選択された一つの分割番号「１」を認識したとする。
【０２６０】
そして、制御部１２０では、一部印刷要求部１２４は、蓄積先としての画像形成装置２００に対し、処理部１２３が認識した分割番号（この例では分割番号「１」）を送信して、部分情報（分割番号「１」）に対応する部分（分割部分）に属する原稿にかかわる原稿データ（蓄積データ）の印刷を要求する（図２３のＰ５８参照）。
【０２６１】
画像形成装置２００では、制御部２２０は、画像入力装置１００＃１からの部分情報（分割番号「１」）を取得した場合に、取得した分割番号「１」をキーとして管理情報記憶部２４０内の蓄積情報管理テーブル２４００の情報を検索（参照）する（図２３のＰ５４Ｂ参照）。
【０２６２】
具体的は、制御部２２０は、蓄積情報管理テーブル２４００から、分割番号２４１７の項目に登録されている分割番号の中の前記取得した分割番号（この例では分割番号「１」）と分割番号の子の蓄積情報を取得する。
【０２６３】
次に、制御部２２０では、読出部２２３は、上記取得された分割番号「１」の子の蓄積情報に基づき、蓄積部２３０から該当する蓄積データ（分割番号「１」のデータ）を取得する（図２３のＰ５５Ｂ参照）。
【０２６４】
そして、制御部２２０が上述したようにして取得した蓄積データ（分割番号「１」のデータ）を画像処理部２５０へ出力すると、画像処理部２５０は、取得した蓄積データを基に、ページ単位のラスタデータ（ページデータ）を生成する画像処理を実施し、画像処理後のデータ（ページ単位のラスタデータ）を印刷処理部１６０へ出力する。
【０２６５】
印刷処理部２６０は、画像処理部２５０からのページ単位のラスタデータを基に、複数の分割部分にかかわる原稿データ（蓄積データ）を文書の一部として印刷し、印刷物として出力する（図２３のＰ５９参照）。
【０２６６】
（第６の実施の形態）
【０２６７】
次に、第６の実施の形態に係る画像形成システムについて説明する。
【０２６８】
この画像形成システムは、図１に示した第１の実施の形態の画像形成システムと同様の構成になっている。また、画像入力装置および画像形成装置は、図３および図４に示した第１の実施の形態の画像入力装置および画像形成装置と同様の機能構成になっている。なお、画像入力装置および画像形成装置は、上述した第４の実施の形態または上述した第５の実施の形態の画像入力装置および画像形成装置と同様の機能構成であってもよい。
【０２６９】
第６の実施の形態では、画像形成装置２００は、蓄積されている蓄積データの蓄積状況の印刷要求に応じて、図２４に示すような管理情報としての蓄積管理情報シートを印刷出力する。
【０２７０】
図２４において、蓄積管理情報シート７００は、蓄積先７１０、管理コード７２０、および状況７３０の各項目から構成されている。
【０２７１】
蓄積先７１０の項目は、親フォームで管理されている蓄積データが格納されている蓄積先の名称、例えば画像形成装置名（プリンタ名）または情報処理装置名（コンピュータ名）を示す。
【０２７２】
管理コード７２０の項目は、フォーム種類、画像形成装置情報（プリンタ情報）、および蓄積データ管理情報がコード化された管理コードを示す。また、蓄積先が情報処理装置（コンピュータ）の場合は、前記各情報に加えて、当該情報処理装置情報がコード化された管理コードを示す。なお、管理コード７２０の項目に設定されている管理コードは親フォームにかかわる管理コードである。
【０２７３】
状況７３０の項目は、分割数に応じた数の子フォームのリストを示し、かつ子フォーム毎の登録状況（蓄積状況）を示す。
【０２７４】
上述したような蓄積管理情報シートは、親フォーム（分割蓄積フォーム）Ｆ０の「処理５３０の項目」の「管理情報印刷」が指定された当該親フォームを、複数の画像入力装置１００＃１，１００＃２，１００＃３のうち何れかの画像入力装置に読み込ませるか、あるいは画像形成装置２００の操作／表示部２７０を操作して、蓄積管理情報シートを印刷するメニューにおいて親フォームＦ０の管理コードを直接入力することで、画像形成装置２００によって印刷出力される。
【０２７５】
次に、画像形成システムの管理情報印刷処理について、図２５を参照して説明する。
【０２７６】
ここでは、画像形成装置２００に対し、データが蓄積されている状態で親フォームにて「管理情報印刷」を行う場合の例について説明する。
【０２７７】
蓄積データ管理者は、親フォームＦ０の「処理５３０の項目」の「管理情報印刷」のチェックボックスをマーク形式で塗り潰すことにより、「管理情報印刷」の処理を指定する（図２５のＰ６１参照）。
【０２７８】
そして、蓄積データ管理者は、このようにして「管理情報印刷」の処理を指定した親フォームＦ０を画像入力装置１００＃１の図示しないＡＤＦ（自動原稿送り装置）にセットする（図２５のＰ６２参照）。
【０２７９】
この例では、画像入力装置１００＃１に親フォームＦ０を読み込ませるようにしているが、これに限定されることなく、画像入力装置１００＃１，１００＃２，１００＃３のうち何れかの画像入力装置を使用すればよい。
【０２８０】
画像入力装置１００＃１では、画像読取部１３０は、親フォームＦ０のスキャン処理を実行して画像情報を読み取り、この読み取りの結果に応じた画像データを制御部１２０へ出力する。制御部１２０が画像読取部１３０からの画像データを画像解析部１４０へ出力すると、画像解析部１４０は、前記画像データの解析処理を実行し、この実行の結果を制御部１２０へ出力する。
【０２８１】
制御部１２０は、画像解析部１４０からの解析の結果を基に、親フォームＦ０の「管理コード５４０の項目」に設定されている管理コードを解読して蓄積情報を取得し、この蓄積情報に含まれている蓄積先として指定されている画像形成装置２００に対し、通信部１１０を介して、「管理コード５４０の項目」に設定されている管理コードおよび「処理５３０の項目」に指定されている「管理情報印刷」の処理情報を送信し、指定されている蓄積データにかかわる管理情報の印刷要求を行う（図２５のＰ６３参照）。
【０２８２】
画像形成装置２００では、制御部２２０の読出部２２３は、画像入力装置１００＃１からの送信情報（管理コードおよび管理情報印刷）を取得した場合に、取得した管理コードをキーとして管理情報記憶部２４０内の蓄積情報管理テーブル２４００の情報を検索（参照）する（図２５のＰ６４参照）。
【０２８３】
制御部２２０は、管理コード２４１９の項目に設定されている管理コードの中の上記取得した管理コードと一致する管理コードに対応する管理情報（一致する管理コードを含む行の情報）、具体的には親フォームにかかわる全ての子フォームの蓄積情報（分割番号、登録された日時など）を取得する（図２５のＰ６５参照）。
【０２８４】
次に、制御部２２０は、上述したようにして取得した情報（指定された全ての子フォームの蓄積情報）を基に図２４に示したような様式の蓄積情報管理シートを生成し、この蓄積情報管理シートを画像処理部２５０へ出力する。
【０２８５】
画像処理部２５０が、取得した蓄積情報管理シートを基に、ページ単位のラスタデータ（ページデータ）を生成する画像処理を実施し、画像処理後のデータ（ページ単位のラスタデータ）を印刷処理部１６０へ出力すると、印刷処理部２６０は、画像処理部２５０からのページ単位のラスタデータを基に、蓄積情報管理シートを印刷し、印刷物として出力する（図２５のＰ６６参照）。
【０２８６】
例えば、蓄積情報管理テーブル２４００が図１５に示す内容であるとした場合、蓄積データ管理者が上述したようにして「管理情報印刷」を指定した親フォームＦ０を画像入力装置１００＃１にセットして読み込ませたときは、画像形成装置２００からは、図２６に示すような蓄積管理情報シートが印刷出力されることとなる。
【０２８７】
（第７の実施の形態）
【０２８８】
次に、第７の実施の形態に係る画像形成システムについて説明する。
【０２８９】
この画像形成システムは、図１に示した第１の実施の形態の画像形成システムと同様の構成になっている。また、画像入力装置は、図３に示した第１の実施の形態の画像入力装置と同様の機能構成になっている。さらに、画像形成装置は、図１９に示した第４の実施の形態の画像形成装置の制御部が図２７に示す制御部２２０に変更された機能構成になっている。
【０２９０】
図２７において、制御部２２０は、図１９に示したデータ取得部２２１、要求取得部２２、および読出部２２３に加えて、削除要求取得部２２４を有している。
【０２９１】
削除要求取得部２２４は、削除要求取得手段の機能を有し、複数枚の源原稿にかかわる複数の部分（分割部分）の全部または一部に属する原稿にかかわる画像データの削除要求を画像処理装置としての画像入力装置から取得する。
【０２９２】
ここで、蓄積データ管理者は、蓄積されている蓄積データの全て（複数の分割部分の全て）を削除させたい場合には、親フォームの「処理５３０の項目」において「削除」の処理を指定し、一方、蓄積されている蓄積データの一部（複数の分割部分の中の一部の分割部分）を削除させたい場合は、子フォームの「処理６３０の項目」において「削除」の処理を指定するようにする。
【０２９３】
制御部２２０は、削除要求取得部２２４が上記削除要求を取得したときは、管理情報記憶部２４０の蓄積情報管理テーブル２４００の登録内容を更新するとともに、蓄積部２３０から該当する蓄積データ（原稿データ）を削除する。
【０２９４】
なお、画像形成装置２００において、制御部２２０は、図２７に示す機能構成としているが、これに限定されることなく、図４に示した第１の実施の形態の制御部２２０の機能構成に上記削除要求取得部２２４を追加した機能構成とするようにしてもよい。この場合、制御部２２０は、データ取得部２２１と削除要求取得部２２４とを有することになる。
【０２９５】
次に、画像形成システムの蓄積データ削除処理について、図２８を参照して説明する。
【０２９６】
ここでは、画像形成装置２００（プリンタ）に対し、データが蓄積されている状態で親フォームにて「削除」を行う場合の例について説明する。
【０２９７】
蓄積データ管理者は、親フォームＦ０の「処理５３０の項目」の「削除」のチェックボックスをマーク形式で塗り潰すことにより、「削除」の処理を指定する（図２８のＰ７１参照）。
【０２９８】
そして、蓄積データ管理者は、このようにして「削除」の処理を指定した親フォームＦ０を画像入力装置１００＃１の図示しないＡＤＦ（自動原稿送り装置）にセットする（図２８のＰ７２参照）。
【０２９９】
この例では、画像入力装置１００＃１に親フォームＦ０を読み込ませるようにしているが、これに限定されることなく、画像入力装置１００＃１，１００＃２，１００＃３のうち何れかの画像入力装置を使用すればよい。
【０３００】
画像入力装置１００＃１では、画像読取部１３０は、親フォームＦ０のスキャン処理を実行して画像情報を読み取り、この読み取りの結果に応じた画像データを制御部１２０へ出力する。制御部１２０が画像読取部１３０からの画像データを画像解析部１４０へ出力すると、画像解析部１４０は、前記画像データの解析処理を実行し、この実行の結果を制御部１２０へ出力する。
【０３０１】
制御部１２０は、画像解析部１４０からの解析の結果を基に、親フォームＦ０の「管理コード５４０の項目」に設定されている管理コードを解読して蓄積情報を取得し、この蓄積情報に含まれている蓄積先として指定されている画像形成装置２００に対し、通信部１１０を介して、「管理コード５４０の項目」に設定されている管理コードおよび「処理５３０の項目」に指定されている「削除」の処理情報を送信し、指定されている蓄積データの削除要求を行う（図２８のＰ７３参照）。
【０３０２】
画像形成装置２００では、制御部２２０は、削除要求取得部２２４が画像入力装置１００＃１からの送信情報（管理コードおよび削除要求）を取得した場合に、取得した管理コードをキーとして管理情報記憶部２４０内の蓄積情報管理テーブル２４００の情報を検索（参照）し、一致する管理コードの親フォームおよび該親フォームにかかわる子フォームのそれぞれの管理情報を削除する（図２８のＰ７４参照）。また制御部２２０は、蓄積部２３０に蓄積されている当該子フォームにて蓄積された蓄積データを削除する。
【０３０３】
例えば、蓄積情報管理テーブル２４００が図１５に示す内容であるとした場合、蓄積データ管理者が上述したようにして「削除」を指定し、かつ「ＡＢ−１２３−１１１１１−０００」の管理コードが設定されている親フォームＦ０（図２１参照）を画像入力装置１００＃１にセットして読み込ませたときは、図１５に示す蓄積情報管理テーブル２４００は、図２９に示す蓄積情報管理テーブル２４００に変更される。
【０３０４】
（第８の実施の形態）
【０３０５】
次に、第８の実施の形態に係る画像形成システムについて説明する。
【０３０６】
この画像形成システムは、図１に示した第１の実施の形態の画像形成システムと同様の構成になっている。また、画像入力装置および画像形成装置は、図３および図４に示した第１の実施の形態の画像入力装置および画像形成装置と同様の機能構成になっている。
【０３０７】
次に、画像形成システム１の蓄積データ印刷処理（全文書印刷）について、図３０を参照して説明する。
【０３０８】
ここでは、情報処理装置３００に対し、データが蓄積されている状態で親フォームにて「全文書印刷」を行う場合の例について説明する。
【０３０９】
なお、情報処理装置３００は、第３の実施の形態の場合と同様に、制御部３１０、蓄積部３２０および管理情報記憶部３３０を有している。
【０３１０】
蓄積データ管理者は、親フォームＦ０の「処理５３０の項目」の「全文書印刷」のチェックボックスをマーク形式で塗り潰すことにより、「全文書印刷」の処理を指定する（図３０のＰ８１参照）。
【０３１１】
そして、蓄積データ管理者は、このようにして「全文書印刷」の処理を指定した親フォームＦ０を画像入力装置１００＃１の図示しないＡＤＦ（自動原稿送り装置）にセットする（図３０のＰ８２参照）。
【０３１２】
この例では、画像入力装置１００＃１に親フォームＦ０を読み込ませるようにしているが、これに限定されることなく、画像入力装置１００＃１，１００＃２，１００＃３のうち何れかの画像入力装置を使用すればよい。
【０３１３】
画像入力装置１００＃１では、画像読取部１３０は、親フォームＦ０のスキャン処理を実行して画像情報を読み取り、この読み取りの結果に応じた画像データを制御部１２０へ出力する。制御部１２０が画像読取部１３０からの画像データを画像解析部１４０へ出力すると、画像解析部１４０は、前記画像データの解析処理を実行し、この実行の結果を制御部１２０へ出力する。
【０３１４】
制御部１２０は、画像解析部１４０からの解析の結果を基に、親フォームＦ０での「管理コード５４０の項目」に設定されている管理コードを解読して蓄積情報を取得するとともに、画像形成装置２００に対し、通信部２１０を介して管理コードおよび全文書印刷の情報を送信して、親フォームにかかわる原稿データ（画像データ）の印刷要求を、上記子フォームの「蓄積先の項目」に設定されている蓄積先としての情報処理装置３００に送信するよう依頼する（図３０のＰ８３参照）。
【０３１５】
画像入力装置１００＃１から送信された送信情報（管理コードおよび全文書印刷の情報）を受信した画像形成装置２００では、制御部２２０は、通信部２１０を介して取得した送信情報（管理コードおよび全文書印刷の情報）を、通信部２１０を介して、蓄積先である情報処理装置３００に向けて送信する（図３０のＰ８４参照）。
【０３１６】
情報処理装置３００では、制御部３１０は、画像形成装置２００からの送信情報（管理コードおよび全文書印刷）を取得した場合に、取得した管理コードをキーとして管理情報記憶部３３０内の蓄積情報管理テーブル２４００の情報を検索（参照）する。
【０３１７】
次に、制御部３１０は、蓄積情報管理テーブル２４００において管理コード２４１９の項目に設定されている管理コードの中の上記取得した管理コードと一致する管理コードに対応する管理情報（一致する管理コードを含む行の情報）に基づき、蓄積部２３０から蓄積データを取得し、この取得した蓄積データを、画像形成装置２００へ送信し印刷要求を行う（図３０のＰ８５参照）。
【０３１８】
具体的は、蓄積情報管理テーブル２４００が図１５に示す内容であるとした場合、情報処理装置３００では、制御部３１０は、親フォームＦ０の「管理コード５４０の項目」に設定されている管理コード「ＡＢ−１２３−１１１１１−０００」をキーとして蓄積情報管理テーブル２４００（の管理コード２４１９の項目）を検索したときは、管理コード２４１９の項目に登録されている管理コード「ＡＢ１２３１１１１１０００」が一致する管理コードであると認識する。
【０３１９】
次に、制御部３１０は、管理コード「ＡＢ１２３１１１１１０００」に対応する管理データＩＤ２４１０の項目に登録されている管理データＩＤは「００００２」であると認識するとともに、この管理データＩＤ「００００２」をキーとして親データＩＤ２４１６の項目を検索し、管理データＩＤ「００００２」と一致する親データＩＤ「００００２」を認識する。
【０３２０】
さらに、制御部３１０は、上記一致した親データＩＤ「００００２」により管理されている子の蓄積情報に基づく複数の分割部分（この例では３つの分割部分）に属する原稿にかかわる原稿データ（蓄積データ）を、蓄積部３２０から取得する（読み出す）。
【０３２１】
そして、制御部３１０が上述したようにして取得した複数の分割部分にかかわる原稿データを、画像処理装置２００へ送信し印刷要求を行う。
【０３２２】
ところで、情報処理装置３００からの印刷要求を受け付けた画像形成装置２００では、制御部２２０が、情報処理装置３００から取得した原稿データ（蓄積データ）を画像処理部２５０へ出力すると、画像処理部２５０は、取得した原稿データを基に、ページ単位のラスタデータ（ページデータ）を生成する画像処理を実施し、画像処理後のデータ（ページ単位のラスタデータ）を印刷処理部１６０へ出力する。
【０３２３】
印刷処理部２６０は、画像処理部２５０からのページ単位のラスタデータを基に、複数の分割部分にかかわる原稿データ（蓄積データ）を１文書として印刷し、印刷物として出力する（図３０のＰ８６参照）。
【０３２４】
なお、第８の実施の形態では、情報処理装置３００が蓄積データを蓄積している場合に、親フォームを画像入力装置１００＃１に読み込ませることで、画像形成装置２００が、情報処理装置３００から転送されてくる原稿データの印刷処理を実施するようにしているが、これに限定されることなく、情報処理装置３００において例えば親フォームにかかわる管理コードを指定するとともに全文書印刷の処理を指定することにより、画像形成装置２００が、情報処理装置３００から転送されてくる原稿データの印刷処理を実施するようにしてもよい。
【０３２５】
（第９の実施の形態）
【０３２６】
次に、第９の実施の形態に係る画像形成システムについて説明する。
【０３２７】
この画像形成システムは、図１に示した第１の実施の形態の画像形成システムと同様の構成になっている。また、画像入力装置および画像形成装置は、図３および図４に示した第１の実施の形態の画像入力装置および画像形成装置と同様の機能構成になっている。
【０３２８】
次に、画像形成システム１の蓄積データ取得処理について、図３１を参照して説明する。
【０３２９】
ここでは、画像形成装置２００（プリンタ）に蓄積されたデータをファイルで取得する場合の例について説明する。
【０３３０】
蓄積データ管理者は、情報処理装置３００から画像形成装置２００に接続し、蓄積データにアクセスする画面に入り親フォーム（分割蓄積管理フォーム）に示されている管理コードを入力する（図３１のＰ９１参照）。
【０３３１】
情報処理装置３００が入力された管理コードを画像形成装置２００へ送信すると（図３１のＰ９２参照）、画像形成装置２００では、制御部２２０は、管理情報記憶部２４０に記憶されている蓄積情報管理テーブル２４００を参照する（図３１のＰ９３参照）。
【０３３２】
制御部２２０は、情報処理装置３００から取得した管理コードが蓄積情報管理テーブル２４００に存在する場合、情報処理装置３００に対し、蓄積データが存在することを通知する（図３１のＰ９４参照）。情報処理装置３００は、蓄積データが存在する旨を表示する。
【０３３３】
蓄積データ管理者は、蓄積データが存在する旨が表示されたことを受けて、指定した管理コードに該当する蓄積データが存在すると認識した場合、情報処理装置３００を操作して蓄積データの取得の操作を行なう（図３１のＰ９５参照）。
【０３３４】
情報処理装置３００は、画像形成装置２００に対し、蓄積データの取得要求を行う（図３１のＰ９６参照）。
【０３３５】
情報処理装置３００から蓄積データの取得要求を受けた画像形成装置２００では、制御部２２０は蓄積部２３０にアクセスする（図３１のＰ９７参照）。
【０３３６】
制御部２２０が、管理コードで指定される蓄積データを蓄積部２３０から取得し、この取得した蓄積データのファイル変換を画像処理部２５０に依頼すると、画像処理部２５０は、依頼のあった蓄積データを情報処理装置３００が参照できるデータ形式のファイル（ＰＤＦなど）に変換し（図３１のＰ９８参照）、このファイルを制御部２２０へ出力する。
【０３３７】
そして、制御部２２０は、画像処理部２５０から取得したファイル（ＰＤＦなど）を情報処理装置３００へ送信する（図３１のＰ９９参照）。
【０３３８】
ところで、第１の実施の形態で説明した図８のステップＳ１０１の処理は、第１の実施の形態で説明した図１１のＰ１１、Ｐ１２の処理を実行することを意味する。
【０３３９】
また、第１の実施の形態で説明した図９のステップＳ２０６の処理は、第１の実施の形態の図１１のＰ１５〜Ｐ１７の処理、および第２の実施の形態の図１６のＰ２１，Ｐ２２の処理のうち何れかの処理を実行することを意味する。
【０３４０】
また、第１の実施の形態で説明した図９のステップＳ２０７の処理は、第４の実施の形態の図２０のＰ４１〜Ｐ４３の処理、第５の実施の形態の図２３のＰ５１〜Ｐ５３の処理、第６の実施の形態の図２５のＰ６１〜Ｐ６３の処理、および第７の実施の形態の図２８のＰ７１〜Ｐ７３の処理のうち何れかの処理を実行することを意味する。
【０３４１】
また、第１の実施の形態で説明した図１０のステップＳ３０３の処理は、第４の実施の形態の図２０のＰ４４の処理、第５の実施の形態の図２３のＰ５４Ａの処理、第６の実施の形態の図２５のＰ６４の処理、および第７の実施の形態の図２８のＰ７４の処理のうち何れかの処理を実行することを意味する。
【０３４２】
さらに、第１の実施の形態で説明した図１０のステップＳ３０５の処理は、第１の実施の形態の図１１のＰ１８の処理、および第２の実施の形態の図１６のＰ２３の処理のうち何れかの処理を実行することを意味する。
【０３４３】
以上説明したように、第１〜第９の実施の形態では、複数の源原稿に対応する複数の分割部分を異なる複数の画像入力装置に読み込ませたとしても、当該複数の分割部分（に属する原稿）に対応する画像データは、指定される蓄積先としての画像形成装置にて１文書として蓄積される。
【０３４４】
また、複数の源原稿に対応する複数の分割部分を複数の画像入力装置に読み込ませることで、当該複数の源原稿にかかわる読み込み処理の処理効率は向上する。
【０３４５】
また、複数の分割部分（各ジョブ）が異なるタイミングで入力されたとしても、これら複数の分割部分（各ジョブ）は、１文書として、指定された順番で登録されるとともに印刷される。
【０３４６】
また、複数枚の原稿に対応する複数の部分が画像形成装置に蓄積されている場合に、蓄積データ管理者が親フォームを画像入力装置に読み込ませることで、当該複数の部分は、画像形成装置から１文書として印刷出力される。
【０３４７】
また、複数枚の原稿に対応する複数の部分が画像形成装置に蓄積されている場合に、蓄積データ管理者が親フォームを画像入力装置に読み込ませることで、当該複数の部分の一部は、画像形成装置から文書の一部として印刷出力される。
【０３４８】
また、蓄積データ管理者が親フォームを画像入力装置に読み込ませることで、画像形成装置の蓄積部に蓄積されている複数の分割部分は削除される。
【０３４９】
また、複数枚の原稿に対応する複数の部分が情報処理装置に蓄積されている場合であっても、蓄積データ管理者が親フォームを画像入力装置に読み込ませることで、当該複数の部分は、画像形成装置から１文書として印刷出力される。
【０３５０】
また、分割して蓄積された分割部分（ジョブ）が全て蓄積され１文書となった場合に、この１文書は、ファイル（ＰＤＦなど）として扱われ処理される。
【０３５１】
さらに、次の（ａ）〜（ｄ）の処理が可能となる。
【０３５２】
（ａ）作業者または蓄積データ管理者は、大量の原稿を分割して複数の画像入力装置に読み込ませる。
【０３５３】
（ｂ）複数の作業者で一つの文書を作成する。
【０３５４】
（ｃ）作業者または蓄積データ管理者は、一度蓄積された蓄積データを、分割されたジョブ単位（分割部分単位）で差し替える。
【０３５５】
（ｄ）蓄積データ管理者は、親フォームを画像入力装置に読み込ませて、画像形成装置の蓄積情報管理テーブルに未登録の子フォームを確認するとともに、蓄積部に蓄積されている分割部分の蓄積状況を確認、すなわち源原稿の蓄積状況を確認する。
【０３５６】
次に、第１〜第９の実施の形態に係る画像入力装置１００＃１，１００＃２，１００＃３のハードウェア構成について、図３２を参照して説明する。
【０３５７】
画像入力装置１００＃１，１００＃２，１００＃３は、図３２に示すように、ＣＰＵ１０１、記憶装置１０２、ＲＯＭ１０３、ＲＡＭ１０４、操作パネル１０５、スキャナ１０６、および通信Ｉ／Ｆ１０７を有している。これらの構成要素１０１〜１０７はシステムバス１０８に接続されている。なお、記憶装置１０２、およびスキャナ１０６は、それぞれに対応するインタフェース（図示せず）を介してシステムバス１０８に接続される。
【０３５８】
記憶装置１０２は、例えばハードディスクであり、図３に示した制御部１２０および画像解析部１４０の各機能を実現するためのソフトウェア（プログラム）、図９に示した分割蓄積登録処理の処理手順に対応するソフトウェア（プログラム）、処理プログラム１０２Ａなどインストールされた各種のプログラムを記憶している。
【０３５９】
なお、上記制御部１２０は、図２２に示した部分情報要求部１２１、取得部１２２、処理部１２３、および一部印刷要求部１２４を含んでいる。
【０３６０】
処理プログラム１０２Ａは、少なくとも次の（１）および（２）の各処理過程を含んでいる。
【０３６１】
（１）複数枚の源原稿が複数の部分（分割部分）に分割される場合の当該源原稿にかかわる画像データの蓄積先を示す蓄積先情報と当該一つの部分が当該源原稿の一部であることを示す分割情報とを含む様式原稿（子フォーム）から読み取られた画像データに基づき、前記蓄積先情報に基づく蓄積先に対し、当該一つの部分（分割部分）に属する原稿から読み取られた画像データと前記分割情報とを送信し蓄積を依頼する制御処理過程。この処理過程は、上述した子フォームが画像読取部１３０（スキャナ１０６）によって読み込まれた場合に、制御部１２０（ＣＰＵ１０１）によって実行される。
【０３６２】
（２）複数枚の源原稿が複数の部分に分割される場合の当該源原稿にかかわる画像データの蓄積先を示す蓄積先情報と当該画像データに対する印刷処理を示す処理情報とを含む様式原稿（親フォーム）から読み取られた画像データに基づき、前記蓄積先情報に基づく蓄積先に対し、前記源原稿にかかわる画像データの印刷を要求する制御処理過程。この処理過程は、上述した親フォームが画像読取部１３０（スキャナ１０６）によって読み込まれた場合に、制御部１２０（ＣＰＵ１０１）によって実行される。
【０３６３】
ＲＯＭ１０３は、読み出し専用メモリであり、画像形成装置２００など外部装置との通信を実施するための通信プロトコル情報を記憶している。
【０３６４】
ＲＡＭ１０４は、随時書き込み読み出しメモリであり、記憶装置１０２から読み込まれた処理プログラム１０２Ａを含むプログラムやデータ、ＲＯＭ１０３から読み込まれた通信プロトコル情報、画像読取部１３０が読み取った画像データ、画像解析部１４０による解析の結果、通信Ｉ／Ｆ１０７によって送受信されるデータなどを記憶する。また、ＲＡＭ１０４は、画像記憶部１５０（図３参照）の機能を果たす。
【０３６５】
操作パネル１０５は、操作／表示部１６０（図３参照）の機能を果たし、スキャナ１０６は、画像読取部１３０（図３参照）の機能を果たし、通信Ｉ／Ｆ１０７は、通信部１１０（図３参照）の機能を果たす。
【０３６６】
ＣＰＵ１０１は、中央演算処理装置であり、記憶装置１０２からＲＡＭ１０４へ、処理プログラム１０２Ａを含むプログラムを読み込んで実行することにより、上述した制御部１１０（部分情報要求部１２１、取得部１２２、処理部１２３、および一部印刷要求部１２４を含む）および画像解析部１４０の各機能を実現するとともに、処理プログラム１０２Ａに対応する処理機能を実現する。また、ＣＰＵ１０１は画像入力装置１００全体を制御する。
【０３６７】
次に、第１〜第９の実施の形態に係る画像形成装置２００のハードウェア構成について、図３３を参照して説明する。
【０３６８】
画像形成装置２００は、図３３に示すように、ＣＰＵ２０１、記憶装置２０２、ＲＯＭ２０３、ＲＡＭ２０４、操作パネル２０５、プリンタエンジン２０６、および通信／Ｆ２０７を備えている。
【０３６９】
上記各構成要素２０１〜２０７はシステムバス２０８に接続されている。なお、記憶装置２０２、およびプリンタエンジン２０６は、それぞれに対応するインタフェース（図示せず）を介してシステムバス２０８に接続される。
【０３７０】
記憶装置２０２は、例えばハードディスクであり、図４に示した制御部２２０および画像処理部２５０の各機能を実現するためのソフトウェア（プログラム）、図８に示した分割蓄積処理の登録に関する登録処理の処理手順に対応するソフトウェア（プログラム）、図１０に示した分割蓄積処理および分割蓄積管理処理の処理手順に対応するソフトウェア（プログラム）、処理プログラム２０２Ａなどインストールされた各種のプログラムを記憶している。
【０３７１】
なお、上記制御部２２０は、図２７に示したデータ取得部２２１、要求取得部、読出部２２３、および削除要求取得部２２４を含んでいる。
【０３７２】
また、記憶装置２０２は、図４に示した蓄積部２３０および管理情報記憶部２４０の各機能を果たす。
【０３７３】
処理プログラム２０２Ａは、少なくとも第１の処理プログラム（２０２Ａ−１）および第２の処理プログラム（２０２Ａ−２）を含んでいる。
【０３７４】
第１の処理プログラム（２０２Ａ−１）は、少なくとも次の（１）および（２）の各処理過程を含んでいる。
【０３７５】
（１）複数枚の源原稿が複数の部分に分割される場合の一つの部分に属する原稿にかかわる画像データおよび当該一つの部分が当該源原稿の一部であることを示す分割情報を画像処理装置（画像入力装置）から取得するデータ取得処理過程。この処理過程は、制御部２２０（ＣＰＵ２０１）のデータ取得部２２１によって実行される。
【０３７６】
（２）上記データ取得処理過程により取得された画像データを蓄積手段（蓄積部２３０）に格納するとともに、前記複数枚の原稿を示す情報に対応して、当該一つの部分が当該源原稿の一部であることを示す分割情報と当該一つの部分に属する原稿にかかわる画像データの蓄積状況を示す蓄積状況情報とを関連付けて管理情報記憶手段（管理情報記憶部２４０）に記憶する制御処理過程。この処理過程は、制御部２２０（ＣＰＵ２０１）によって実行される。
【０３７７】
上述した第１の処理プログラム（２０２Ａ−１）は、上述した子フォームが画像入力装置によって読み込まれたことに起因して制御部２２０（ＣＰＵ２０１）によって実行されるようになっている。
【０３７８】
第２の処理プログラム（２０２Ａ−２）は、少なくとも次の（１）から（３）の各処理過程を含んでいる。
【０３７９】
（１）複数枚の源原稿が複数の部分に分割される場合の当該複数枚の源原稿にかかわる画像データの印刷要求を画像処理装置（画像入力装置）から取得する要求取得処理過程。この処理過程は、制御部２２０（ＣＰＵ２０１）の要求取得部２２２によって実行される。
【０３８０】
（２）上記要求取得処理過程により上記印刷要求が取得された場合に、上記複数枚の源原稿を示す情報に対応する複数の部分のそれぞれに属する原稿にかかわる画像データを蓄積手段（蓄積部２３０）から読み出す読出処理過程。この処理過程は、制御部２２０（ＣＰＵ２０１）の読出部２２３によって実行される。
【０３８１】
（３）上記読出処理過程により読み出された画像データを一つの文書として印刷処理を実行させる制御処理過程。この処理過程は、制御部２２０（ＣＰＵ２０１）によって実行される。
【０３８２】
上述した第２の処理プログラム（２０２Ａ−２）は、上述した親フォームが画像入力装置によって読み込まれたことに起因して制御部２２０（ＣＰＵ２０１）によって実行されるようになっている。
【０３８３】
ＲＯＭ２０３は、読み出し専用メモリであり、画像入力装置１００＃１，１００＃２，１００＃３、情報処理装置３００など外部装置との通信を実施するための通信プロトコル情報を記憶している。
【０３８４】
ＲＡＭ２０４は、随時書き込み読み出しメモリであり、記憶装置２０２から読み込まれた処理プログラム１０２Ａを含むプログラムやデータ（蓄積データなど）、ＲＯＭ２０３から読み込まれた通信プロトコル情報、通信Ｉ／Ｆ２０７によって送受信されるデータなどを記憶する。
【０３８５】
操作パネル２０５は、操作／表示部２７０（図４参照）の機能を果たし、プリンタエンジン１０６は、印刷処理部２６０（図４参照）の機能を果たし、通信Ｉ／Ｆ２０７は、通信部２１０（図４参照）の機能を果たす。
【０３８６】
ＣＰＵ２０１は、記憶装置２０２からＲＡＭ２０４に処理プログラム２０２Ａを含むプログラムを読み込んで実行することにより、上述した制御部２２０（データ取得部２２１、要求取得部、読出部２２３、および削除要求取得部２２４を含む）、画像処理部２５０の各機能を実現するとともに、処理プログラム２０２Ａに対応する処理機能を実現する。また、ＣＰＵ２０１は画像形成装置２００全体を制御する。
【０３８７】
本願明細書において、処理プログラムを記録媒体としてのハードディスク等の記憶装置に記録する実施形態として説明したが、当該処理プログラムを次のようにして提供してもよい。
【０３８８】
すなわち、上記処理プログラムをＲＯＭに格納しておき、ＣＰＵが、この処理プログラムをこのＲＯＭから主記憶装置へローディングして実行するようにしてもよい。
【０３８９】
また、上記処理プログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された処理プログラムを画像入力装置（または画像形成装置）がインストールした後、この処理プログラムをＣＰＵが実行するようにする。この処理プログラムのインストール先としては、ＲＡＭ等のメモリやハードディスクなどの記憶装置（記録媒体）が挙げられる。そして、画像入力装置（または画像形成装置）は、必要に応じてこの記憶装置に記憶した処理プログラムを主記憶装置にローディングして実行する。
【０３９０】
さらには、画像入力装置（または画像形成装置）を通信回線（例えばインターネット）を介してサーバ装置あるいはホストコンピュータと接続するようにし、当該画像入力装置（または画像形成装置）が、サーバ装置あるいはホストコンピュータから上記プ処理プログラムをダウンロードした後、この処理プログラムを実行するようにしてもよい。この場合、この処理プログラムのダウンロード先としては、ＲＡＭ等のメモリやハードディスクなどの記憶装置（記録媒体）が挙げられる。そして、当該画画像入力装置（または画像形成装置）が、必要に応じてこの記憶装置に記憶された上記処理プログラムを主記憶装置にローディングして実行するようにする。
【０３９１】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【産業上の利用可能性】
【０３９２】
本発明は、印刷機能、複写機能、スキャン機能など複数の画像形成機能を有する画像形成装置（いわゆる複合機）と画像入力装置とが通信回線を介して接続された画像形成システムに適用することができる。
【０３９３】
また、本発明は、複数の上記複合機が通信回線を介して接続された画像形成システムに適用することができる。
【符号の説明】
【０３９４】
１  画像形成システム
１００＃１，１００＃２，１００＃３  画像入力理装置
１０１，２０１  ＣＰＵ
１０２，２０２  記憶装置
１０２Ａ，２０２Ａ  処理プログラム
１０３，２０３  ＲＯＭ
１０４，２０４  ＲＡＭ
１０５，２０５  操作パネル
１０６  スキャナ
１０７，２０７  通信Ｉ／Ｆ
１１０  通信部
１２０  制御部
１２１  部分情報要求部
１２２  取得部
１２３  処理部
１２４  一部印刷要求部
１３０  画像読取部
１４０  画像解析部
１５０  画像記憶部
１６０  操作／表示部
２００  画像形成装置
２０６  プリンタエンジン
２１０  通信部
２２０  制御部
２２１  データ取得部
２２２  要求取得部
２２３  読出部
２２４  削除要求取得部
２３０  蓄積部
２４０  管理情報記憶部
２５０  画像処理部
２６０  印刷処理部
２７０  操作／表示部
３００  情報処理装置
４００  通信回線
５００  分割蓄積管理フォーム（親フォーム）
６００  分割蓄積登録フォーム（子フォーム）
２４００  蓄積情報管理テーブル
【図１】
2010226152.tif 000003
【図２】
2010226152.tif 000004
【図３】
2010226152.tif 000005
【図４】
2010226152.tif 000006
【図５】
2010226152.tif 000007
【図６】
2010226152.tif 000008
【図７】
2010226152.tif 000009
【図８】
2010226152.tif 000010
【図９】
2010226152.tif 000011
【図１０】
2010226152.tif 000012
【図１１】
2010226152.tif 000013
【図１２】
2010226152.tif 000014
【図１３】
2010226152.tif 000015
【図１４】
2010226152.tif 000016
【図１５】
2010226152.tif 000017
【図１６】
2010226152.tif 000018
【図１７】
2010226152.tif 000019
【図１８】
2010226152.tif 000020
【図１９】
2010226152.tif 000021
【図２０】
2010226152.tif 000022
【図２１】
2010226152.tif 000023
【図２２】
2010226152.tif 000024
【図２３】
2010226152.tif 000025
【図２４】
2010226152.tif 000026
【図２５】
2010226152.tif 000027
【図２６】
2010226152.tif 000028
【図２７】
2010226152.tif 000029
【図２８】
2010226152.tif 000030
【図２９】
2010226152.tif 000031
【図３０】
2010226152.tif 000032
【図３１】
2010226152.tif 000033
【図３２】
2010226152.tif 000034
【図３３】
2010226152.tif 000035